(57)【要約】本発明技術のうちの少なくとも１つの実施形態は、少なくとも２つの脚（４）、該脚が第一の固定エレメント（６）において伸びるベース（５）、第二の固定エレメント（８）によって該ベースに固定された少なくとも２つのライザー（７）、およびアームリテーナー（１０）によって各ライザーに固定された少なくとも１つのアーム（９）を備える物品サポート装置（１）であり得る。楽器サポート（１例としてキーボード）などの製品をサポートするために使用され得、特定の実施形態において折りたたみ可能であり、および／または調節可能であり得る新しい、効率的ではあるが強い物品サポートスタンドが開示される。
2008527406.tif 000002
【特許請求の範囲】
【請求項１】
少なくとも２つの脚と、
ベースであって、該脚が第一の固定エレメントで該ベースから伸びている、ベースと、
第二の固定エレメントによって該ベースに固定された少なくとも２つのライザーと、
アームリテーナーによって該ライザーの各々に固定された少なくとも１つのアームと
を含む、楽器サポート装置。
【請求項２】
前記少なくとも２つの脚の各々は、まっすぐである、請求項１に記載の楽器サポート装置。
【請求項３】
前記少なくとも２つの脚の各々は、曲がっている、請求項２に記載の楽器サポート装置。
【請求項４】
前記少なくとも２つの脚の各々は、下にあるサポート面と接触しない少なくとも１つの部分を有する、請求項３に記載の楽器サポート装置。
【請求項５】
前記第二の固定エレメントは、前記ベースから上向きに伸びている、請求項１に記載の楽器サポート装置。
【請求項６】
前記第二の固定エレメントは、前記第一の固定エレメントのリテーナーの間に設置されている、請求項１に記載の楽器サポート装置。
【請求項７】
前記少なくとも２つのライザーは、曲がっている、請求項１に記載の楽器サポート装置。
【請求項８】
前記少なくとも２つのライザーは、まっすぐである、請求項１に記載の楽器サポート装置。
【請求項９】
前記楽器サポート装置が最終の展開された装置構成である場合に、前記少なくとも２つのライザーは、Ｖ型を形成する、請求項１に記載の楽器サポート装置。
【請求項１０】
前記楽器サポート装置が最終の展開された装置構成である場合に、前記少なくとも２つのライザーがＵ型を形成する、請求項１に記載の楽器サポート装置。
【請求項１１】
前記第一の固定エレメントは、第一のリテーナーのセットを備えている、請求項１に記載の楽器サポート装置。
【請求項１２】
前記第二の固定エレメントは、第二のリテーナーのセットを含む、請求項１に記載の楽器サポート装置。
【請求項１３】
前記第二の固定エレメントは、第二の旋回固定エレメントである、請求項１に記載の楽器サポート装置。
【請求項１４】
前記第二の旋回固定エレメントは、２つの軸の回りの前記ライザーの回転を可能とする、請求項１３に記載の楽器サポート装置。
【請求項１５】
前記第二の旋回固定エレメントは、１つの軸だけの回りの回転を可能とする、請求項１３に記載の楽器サポート装置。
【請求項１６】
前記１つの軸は、非鉛直軸である、請求項１５に記載の楽器サポート装置。
【請求項１７】
前記少なくとも２つのライザーは、前記ベースに旋回的に固定されている少なくとも２つの旋回可能なライザーを備えている、請求項１３に記載の楽器サポート装置。
【請求項１８】
前記第二の固定エレメントは、前記ベースの第二の部分に対して相対的に回転可能である該ベースの第一の部分に設置されている、請求項１に記載の楽器サポート装置。
【請求項１９】
前記固定エレメントのうちの少なくとも１つは、前記ベースの異なる部分に対して相対的に回転可能である該ベースの一部に設置されている、請求項１に記載の楽器サポート装置。
【請求項２０】
前記固定エレメントのうちの少なくとも１つは、２つの軸の回りの固定されたサポートメンバの回転を可能にする、請求項１に記載の楽器サポート装置。
【請求項２１】
前記ライザーの相対的な角度が、脚の分離幅において同時の変更に影響を与えることなしに変更可能である、請求項１に記載の楽器サポート装置。
【請求項２２】
前記装置の展開中に、前記少なくとも２つのライザーは、第一の水平軸の回りを旋回可能であり、前記少なくとも１つのアームは、各々該第一の水平軸とは異なる第二の水平軸の回りを旋回可能である、請求項１に記載の楽器サポート装置。
【請求項２３】
前記固定エレメントのうちの少なくとも１つは、前記ベースの異なる部分に対して相対的に回転可能である該ベースの一部に設置される、請求項１に記載の楽器サポート装置。
【請求項２４】
前記第二の固定エレメントは、前記ベースの異なる部分に対して相対的に回転可能である該ベースの一部に設置される、請求項１に記載の楽器サポート装置。
【請求項２５】
前記ライザーのうちの少なくとも１つは、はめ込むことが可能である、請求項１に記載の楽器サポート装置。
【請求項２６】
前記ライザーのうちの少なくとも１つは、そこに取り付けられたカラーロックを有する、請求項１に記載の楽器サポート装置。
【請求項２７】
前記楽器サポート装置は、キーボードサポート装置を備えている、請求項１に記載の楽器サポート装置。
【請求項２８】
前記楽器サポート装置によってサポートされた楽器をさらに備えている、請求項１に記載の楽器サポート装置。
【請求項２９】
少なくとも１つのケーブル取り付けエレメントをさらに備えている、請求項１に記載の楽器サポート装置。
【請求項３０】
サポートメンバの少なくとも一部の内側にケーブルの設置を可能とするポートをさらに備える、請求項１に記載の楽器サポート装置。
【請求項３１】
前記少なくとも１つのアームは、２つのアームを備え、前記装置は、２つのサポート段を備えている、請求項１に記載の楽器サポート装置。
【請求項３２】
付属品取り付けをさらに含む、請求項１に記載の楽器サポート装置。
【請求項３３】
前記付属品取り付けは、楽譜ホルダを備えている、請求項３２に記載の楽器サポート装置。
【請求項３４】
前記付属品取り付けは、マイクロフォンブーム取り付けを含む、請求項３２に記載の楽器サポート装置。
【請求項３５】
前記少なくとも２つの脚は、少なくとも２つの旋回的に展開可能な脚である、請求項１に記載の楽器サポート装置。
【請求項３６】
前記第一の固定エレメントは、第一の旋回固定エレメントである、請求項３５に記載の楽器サポート装置。
【請求項３７】
前記少なくとも１つのアームは、前記ライザーの各々に旋回的に固定されている、請求項１に記載の楽器サポート装置。
【請求項３８】
前記少なくとも２つのライザーは、交差していない、請求項１に記載の楽器サポート装置。
【請求項３９】
前記少なくとも２つの脚は、第一の平面で旋回可能であり、前記少なくとも２つのライザーは、該第一の平面とは異なる第二の平面で旋回可能である、請求項１に記載の楽器サポート装置。
【請求項４０】
前記少なくとも１つのアームは、少なくとも１つの高さ調節可能であるアームである、請求項１に記載の楽器サポート装置。
【請求項４１】
前記楽器サポート装置の展開中に、前記少なくとも２つのライザーは、第一の軸および該第一の軸とは異なる第二の軸の両方の回りを旋回する、請求項１に記載の楽器サポート装置。
【請求項４２】
前記少なくとも２つのライザーは、最初に前記第一の軸の回りを旋回し、次いで、前記第二の軸の回りを旋回する、請求項４１に記載の楽器サポート装置。
【請求項４３】
前記第一の軸は、水平であり、他方の軸が非水平である、請求項４１に記載の楽器サポート装置。
【請求項４４】
前記第一の軸と前記第二の軸とは実質的に直角である、請求項４３に記載の楽器サポート装置。
【請求項４５】
脚の分離幅を有するように楽器サポート装置の脚を設置するステップと、
該脚の分離幅における同時の変更に影響を与えることなしに、該楽器サポート装置のライザーの相対的な角度を変更するステップと、
を包含し、
アームは、該ライザーの各々に固定される、楽器サポートの方法。
【請求項４６】
前記ライザーをはめ込むことによって所望の高さを有するように前記アームを設置するステップをさらに含む、請求項４５に記載の楽器サポートの方法。
【請求項４７】
ライザーの相対的な角度を変更する前記ステップが望まれる高さを有するように前記アームを設置するステップを含む、請求項４５に記載の楽器サポートの方法。
【請求項４８】
脚を設置する前記ステップは、Ｖ型を有するように前記脚を設置するステップを包含する、請求項４５に記載の楽器サポートの方法。
【請求項４９】
脚を設置する前記ステップは、Ｕ型を有するように前記脚を設置するステップを包含する、請求項４５に記載の楽器サポートの方法。
【請求項５０】
脚を設置する前記ステップは、Ｙ型を有するように前記脚を設置するステップを包含する、請求項４５に記載の楽器サポートの方法。
【請求項５１】
ライザーの相対的な角度を変更する前記ステップは、最終の展開されたライザーの構成の相対的角度に該ライザーを展開するステップを包含する、請求項４５に記載の楽器サポートの方法。
【請求項５２】
前記最終の展開されたライザーの構成の相対的角度を支配する止め具を調節するステップさらに包含する、請求項５２に記載の楽器サポートの方法。
【請求項５３】
前記ライザーの相対的な角度を変更する前記ステップは、まっすぐに見た場合に、装置にＶ型を有させるステップを包含する、請求項４５に記載の楽器サポートの方法。
【請求項５４】
ライザーの相対的な角度を変更する前記ステップは、まっすぐで示される場合に装置にＵ型を有させるステップを包含する、請求項４５に記載の楽器サポートの方法。
【請求項５５】
ライザーの相対的な角度を変更する前記ステップは、まっすぐで示される場合に装置にＹ型を有させるステップを包含する、請求項４５に記載の楽器サポートの方法。
【請求項５６】
ライザーの相対的な角度を変更する前記ステップは、第二の非鉛直軸の回りに前記ライザーを回転させるステップを包含する、請求項４５に記載の楽器サポートの方法。
【請求項５７】
第一の非鉛直軸の回りに格納構成から前記ライザーを回転させるステップをさらに包含する、請求項５６に記載の楽器サポートの方法。
【請求項５８】
第二の非鉛直軸の回りに前記ライザーを回転させる前記ステップは、第一の非鉛直軸の回りに格納構成から前記ライザーを回転させる前記ステップの完了した後に実行される、請求項５７に記載の楽器サポートの方法。
【請求項５９】
第一の非鉛直軸の回りに格納構成から前記ライザーを回転させる前記ステップおよび
第二の非鉛直軸の回りに前記ライザーを回転させる前記ステップは、同じハンドグリップをもって実行される、請求項５７に記載の楽器サポートの方法。
【請求項６０】
前記第一の非鉛直軸は、前記第二の非鉛直軸と直角である、請求項５６に記載の楽器サポートの方法。
【請求項６１】
ライザーの相対的な角度を変更する前記ステップは、望まれるアーム分離幅を有するように前記アームを設置するステップを包含する、請求項４５に記載の楽器サポートの方法。
【請求項６２】
少なくとも１つのケーブル取り付けエレメントをさらに含む、請求項４５に記載の楽器サポートの方法。
【請求項６３】
サポートメンバの少なくとも一部の内側にケーブルの設置を可能にするポートをさらに含む、請求項４５に記載の楽器サポートの方法。
【請求項６４】
少なくとも２つの脚と、
該脚が第一の固定エレメントによって固定されるベースと、
第二の固定エレメントによって該ベースに固定される少なくとも２つのライザーと、
アームリテーナーによって該ライザーの各々に固定される少なくとも１つのアームと
を備え、
該ライザーの各々に固定された該少なくとも１つのアームは、１人のユーザによってハンドグリップにおける変更を必要とすることなしに、アーム格納構成から最終の展開されたアーム構成へと、展開可能である、楽器サポート装置。
【請求項６５】
前記ライザーおよび前記アームは、様々な軸の回りに回転可能である、請求項６４に記載の楽器サポート装置。
【請求項６６】
前記アームは、回転する水平軸の回りに回転可能である、請求項６５に記載の楽器サポート装置。
【請求項６７】
前記ライザーは、直角である軸の回りに回転可能である、請求項６４に記載の楽器サポート装置。
【請求項６８】
前記少なくとも１つのアームは、前記ハンドグリップを使用して単一の第一の動きで中間の展開されたアーム構成に展開可能であり、次いで、該ハンドグリップを使用して単一の第二の動きで最後の展開されたアーム構成位置に展開可能である、請求項６４に記載の楽器サポート装置。
【請求項６９】
前記アームが前記中間の展開されたアーム構成に達した場合に、前記ライザーは、該アームが該中間の展開されたアーム構成に達するポイントの前に、該アームが回転可能であったその軸とは異なる少なくとも１つの軸の回りを回転可能である、請求項６８に記載の楽器サポート装置。
【請求項７０】
前記第一の固定エレメントは、第一のリテーナーのセットを備えている、請求項６４に記載の楽器サポート装置。
【請求項７１】
前記第二の固定エレメントは、第二のリテーナーのセットを備えている、請求項６４に記載の楽器サポート装置。
【請求項７２】
前記第二の固定エレメントは、前記ベースから鉛直に伸びる、請求項６４に記載の楽器サポート装置。
【請求項７３】
前記第二の固定エレメントは、前記ベースの第二の部に対して相対的に回転可能である該ベースの第一の部分に設置される、請求項６４に記載の楽器サポート装置。
【請求項７４】
前記固定エレメントのうちの少なくとも１つは、前記ベースの異なる部分に対して相対的に回転可能である該ベースの一部に設置される、請求項６４に記載の楽器サポート装置。
【請求項７５】
前記第二の固定エレメントは、２つの軸の回りの前記ライザーの回転を可能にする旋回固定エレメントである、請求項６４に記載の楽器サポート装置。
【請求項７６】
前記固定エレメントのうちの少なくとも１つは、２つの軸の回りの固定されたサポートメンバの回転を可能にする、請求項６４に記載の楽器サポート装置。
【請求項７７】
前記少なくとも２つのライザーは、はめ込み可能である、請求項６４に記載の楽器サポート装置。
【請求項７８】
カラーロックであって、前記ライザーは、該カラーロック位置ではめ込む、カラーロックをさらに含む、請求項７７に記載の楽器サポート装置。
【請求項７９】
前記少なくとも２つのライザーは、前記装置が最後の展開された装置構成にある場合に、Ｖ型を形成する、請求項６４に記載の楽器サポート装置。
【請求項８０】
前記少なくとも２つのライザーは、前記装置が最後の展開された装置構成にある場合に、Ｙ型を形成する、請求項６４に記載の楽器サポート装置。
【請求項８１】
前記少なくとも２つのライザーは、前記装置が最後の展開された装置構成にある場合に、Ｕ型を形成する、請求項６４に記載の楽器サポート装置。
【請求項８２】
前記楽器サポート装置によってサポートされた楽器をさらに備えている、請求項６４に記載の楽器サポート装置。
【請求項８３】
前記楽器サポート装置は、キーボードサポート装置を備えている、請求項６４に記載の楽器サポート装置。
【請求項８４】
少なくとも１つのケーブル取り付けエレメントをさらに含む、請求項６４に記載の楽器サポート装置。
【請求項８５】
サポートメンバのうちの少なくとも一部の内側にケーブルの設置を可能にするポートをさらに備えている、請求項６４に記載の楽器サポート装置。
【請求項８６】
少なくとも２つの脚と、
該脚が第一の固定エレメントによって固定されているベースと、
第二の固定エレメントによって前記ベースに旋回的に固定されている少なくとも２つの旋回的に展開可能なライザーと、
アームリテーナーによって該ライザーの各々に固定されている少なくとも１つのアームと
を備え、
該第二の固定エレメントは、旋回固定エレメントであり、
該楽器サポート装置の展開中に、
該少なくとも２つの旋回的に展開可能なライザーは、第一の水平軸の回りに旋回可能であり、
該少なくとも１つのアームは、各々該第一の水平軸とは異なる第二の水平軸の回りに旋回可能であり、
該固定エレメントのうちの少なくとも１つは、該ベースの異なる部分に対して相対的に回転可能である該ベースの一部に設置される、楽器サポート装置。
【請求項８７】
前記第一の固定エレメントは、第一のリテーナーのセットを備えている、請求項８６に記載の楽器サポート装置。
【請求項８８】
前記第二の固定エレメントは、第二のリテーナーのセットを備えている、請求項８６に記載の楽器サポート装置。
【請求項８９】
前記第二の固定エレメントは、前記ベースの第二の部分に対して相対的に回転可能である該ベースの第一の部分に設置されている、請求項８６に記載の楽器サポート装置。
【請求項９０】
第一の軸は、前記楽器サポート装置の展開中には回転しない、請求項８６に記載の楽器サポート装置。
【請求項９１】
第二の軸は、前記楽器サポート装置の展開中には回転する、請求項８６に記載の楽器サポート装置。
【請求項９２】
前記第二の固定エレメントは、前記第一の水平軸および非水平軸の回りの前記ライザーの回転を可能とする、請求項８６に記載の楽器サポート装置。
【請求項９３】
前記固定エレメントのうちの少なくとも１つは、２つの軸の回りの固定されたサポートメンバの回転を可能とする、請求項８６に記載の楽器サポート装置。
【請求項９４】
前記楽器サポート装置によってサポートされた楽器をさらに備えている、請求項８６に記載の楽器サポート装置。
【請求項９５】
前記楽器サポート装置は、キーボードサポート装置を備えている、請求項８６に記載の楽器サポート装置。
【請求項９６】
少なくとも１つのケーブル取り付けエレメントをさらに備えている、請求項８６に記載の楽器サポート装置。
【請求項９７】
サポートメンバの少なくとも一部の内側にケーブルの設置を可能とするポートをさらに備えている、請求項８６に記載の楽器サポート装置。
【請求項９８】
少なくとも２つの脚と、
少なくとも２つの脚は、第一の固定エレメントによって固定されているベースと、
少なくとも２つの旋回的に展開可能であるライザーであって、各ライザーは、低部末端および低部のプロジェクションを有し、各ライザーは、第二の固定エレメントによって該低部末端で前記ベースに旋回的に固定されている、ライザーと、
アームリテーナーによって該ライザーの各々に固定されている少なくとも１つのアームと
を備え、
該第二の固定エレメントは、旋回固定エレメントであり、
該低部プロジェクションの各々は、該楽器サポート装置が最後の展開された装置構成にある場合には、各低部末端の下にあり、
該低部プロジェクションは、該楽器サポート装置が該展開された構成にある場合には、該低部末端の下のポイントで交差する、楽器サポート装置。
【請求項９９】
前記少なくとも２つの旋回的に展開されたライザーは、前記装置が最後の展開された装置構成にある場合には、Ｖ型を形成する、請求項９８に記載の楽器サポート装置。
【請求項１００】
前記少なくとも２つの旋回的に展開されたライザーは、前記装置が最後の展開された装置構成にある場合には、Ｕ型を形成する、請求項９８に記載の楽器サポート装置。
【請求項１０１】
前記第二の固定エレメントは、前記ベースの第二の部分に対して相対的に回転可能である該ベースの第一の部分に設置されている、請求項９８に記載の楽器サポート装置。
【請求項１０２】
前記固定エレメントのうちの少なくとも１つは、前記ベースの異なる部分に対して相対的に回転可能である該ベースの一部に設置されている、請求項９８に記載の楽器サポート装置。
【請求項１０３】
前記第二の固定エレメントは、２つの軸の回りの前記ライザーの回転を可能にする、請求項９８に記載の楽器サポート装置。
【請求項１０４】
前記固定エレメントのうちの少なくとも１つは、２つの軸の回りの固定されたサポートメンバの回転を可能とする、請求項９８に記載の２００４Ａ１２月３０日の楽器サポート装置。
【請求項１０５】
前記楽器サポート装置によってサポートされた楽器をさらに備えている、請求項９８に記載の楽器サポート装置。
【請求項１０６】
前記楽器サポート装置は、キーボードサポート装置を備えている、請求項９８に記載の楽器サポート装置。
【請求項１０７】
少なくとも１つのケーブル取り付けエレメントをさらに備えている、請求項９８に記載の楽器サポート装置。
【請求項１０８】
サポートメンバの少なくとも一部の内側にケーブルの設置を可能とするポートをさらに備えている、請求項９８に記載の楽器サポート装置。
【請求項１０９】
ベースと、
該ベースから放射する少なくとも２つの分岐したサポートメンバと、
該少なくとも２つの分岐したサポートメンバを該ベースに固定する２つの固定エレメントと、
該少なくとも２つの分岐したサポートメンバのうちの少なくとも１つに対応する少なくとも２つのアームと
を備えている、楽器サポート装置。
【請求項１１０】
前記２つの分岐したサポートメンバの各々は、前記ベースから離れた２つの追加のサポートメンバに分かれている、請求項１０９に記載の楽器サポート装置。
【請求項１１１】
前記２つの分岐したサポートメンバの各々と該サポートメンバの各々の前記２つの追加のサポートメンバとは、１つのＹ型を形成する、請求項１１０に記載の楽器サポート装置。
【請求項１１２】
前記少なくとも２つの分岐したサポートメンバは、少なくとも３つの分岐したサポートメンバを備えている、請求項１０９に記載の楽器サポート装置。
【請求項１１３】
前記少なくとも３つの分岐したサポートメンバのうちの１つは、２つの追加のサポートメンバに分かれている、請求項１１２に記載の楽器サポート装置。
【請求項１１４】
前記３つの分岐したサポートメンバのうちの前記１つと前記２つの追加のサポートメンバとは、１つのＹ型を形成する、請求項１１３に記載の楽器サポート装置。
【請求項１１５】
前記３つの分岐したサポートメンバのうちの前記１つと前記２つの追加のサポートメンバとは、ライザーである、請求項１１３に記載の楽器サポート装置。
【請求項１１６】
前記少なくとも３つの分岐したサポートメンバは、少なくとも４つの分岐したサポートメンバを備えている、請求項１１２に記載の楽器サポート装置。
【請求項１１７】
前記４つの分岐したサポートメンバのうちの２つは、脚であり、該少なくとも４つの分岐したサポートメンバのうちの残りの２つは、ライザーである、請求項１１６に記載の楽器サポート装置。
【請求項１１８】
前記ライザーは、前記装置は、最後の展開された装置構成にある場合には、Ｖ型を形成する、請求項１１７に記載の楽器サポート装置。
【請求項１１９】
前記ライザーは、前記装置は、最後の展開された装置構成にある場合には、Ｕ型を形成する、請求項１１７に記載の楽器サポート装置。
【請求項１２０】
前記少なくとも２つのアームは、前記ライザーに固定されている、請求項１１６に記載の楽器サポート装置。
【請求項１２１】
前記少なくとも２つのアームは、アームリテーナーを介して前記ライザーに固定されている、請求項１２０に記載の楽器サポート装置。
【請求項１２２】
前記少なくとも３つの分岐したサポートメンバは、少なくとも３つの放射状に分岐したサポートメンバを含む、請求項１１２に記載の楽器サポート装置。
【請求項１２３】
前記少なくとも３つの分岐したサポートメンバの少なくとも２つは、前記ベースの第二の部分に対して相対的に回転可能である該ベースの第一の部分に固定されている、請求項１１２に記載の楽器サポート装置。
【請求項１２４】
前記少なくとも４つの分岐したサポートメンバのうちの少なくとも２つは、各々２つの軸の回りに旋回可能である、請求項１１２に記載の楽器サポート装置。
【請求項１２５】
前記サポートメンバのうちの少なくとも１つは、２つの追加のサポートメンバに分かれている、請求項１１２に記載の楽器サポート装置。
【請求項１２６】
２つの追加のサポートメンバに分かれている前記サポートメンバのうちの少なくとも１つは、２つのライザーに分かれる、請求項１２５に記載の楽器サポート装置。
【請求項１２７】
前記楽器サポート装置によってサポートされた楽器をさらに備えている、請求項１０９に記載の楽器サポート装置。
【請求項１２８】
前記楽器サポート装置は、キーボードサポート装置を備えている、請求項１０９に記載の楽器サポート装置。
【請求項１２９】
少なくとも１つのケーブル取り付けエレメントをさらに備えている、請求項１０９に記載の楽器サポート装置。
【請求項１３０】
サポートメンバの少なくとも一部の内側にケーブルの設置を可能とするポートをさらに備えている、請求項１０９に記載の楽器サポート装置。
【請求項１３１】
前記ベースの第二の部分に対して相対的に回転可能である第一の部分を有するベースと、
該ベースのジョイントされ、該ベースに少なくとも４つのサポートメンバを旋回的に固定するように適合された少なくとも２つの旋回固定エレメントと、
を備え、
該少なくとも２つの旋回固定エレメントのうちの第一の旋回固定エレメントは、該４つのサポートメンバのうちの第一のセットの２つのサポートメンバを該ベースに旋回的に固定し、少なくとも１つの第一の軸の回りに、該第一のセットの２つのサポートメンバの旋回を可能にし、
該少なくとも２つの旋回固定エレメントのうちの第二の旋回固定エレメントは、該サポートメンバの２つのうちの第二のセットの２つのサポートメンバを該ベースの該第一の部分に旋回的に固定し、少なくとも１つの第二の軸の回りに該第二のセットの２つのサポートメンバの旋回を可能にする、サポート装置。
【請求項１３２】
前記少なくとも１つの第一の軸は、少なくとも１つの鉛直軸を含む、請求項１３１に記載の楽器サポート装置。
【請求項１３３】
前記少なくとも１つの鉛直軸は、２つの鉛直軸を含む、請求項１３２に記載の楽器サポート装置。
【請求項１３４】
前記少なくとも１つの第二の軸は、１つの軸を含む、請求項１３１に記載の楽器サポート装置。
【請求項１３５】
前記少なくとも１つの第二の軸は、少なくとも１つの水平軸を含む、請求項１３１に記載の楽器サポート装置。
【請求項１３６】
前記少なくとも１つの水平軸は、１つの水平軸を含む、請求項１３５に記載の楽器サポート装置。
【請求項１３７】
前記少なくとも１つの第二の軸は、少なくとも１つの微かに水平をはずれた軸を含む、請求項１３１に記載の楽器サポート装置。
【請求項１３８】
前記少なくとも１つの微かに水平をはずれた軸は、１つの微かに水平をはずれた軸を含む、請求項１３７に記載の楽器サポート装置。
【請求項１３９】
前記少なくとも２つの旋回固定エレメントのうちの前記第一の旋回固定エレメントは、少なくとも１つの回転方向における回転の動きに対して前記第一のセットの２つのサポートメンバを保持する第一の止め具を備えている、請求項１３１に記載の楽器サポート装置。
【請求項１４０】
前記少なくとも２つの旋回固定エレメントのうちの前記第二の旋回固定エレメントは、少なくとも１つの回転方向における回転の動きに対して前記第二のセットの２つのサポートメンバを保持する第二の止め具を備えている、請求項１３１に記載の楽器サポート装置。
【請求項１４１】
前記第二の止め具は、調節可能な第二の止め具を備えている、請求項１４０に記載の楽器サポート装置。
【請求項１４２】
前記第二の止め具は、回転可能に調節可能な止め具を備えている、請求項１４１に記載の楽器サポート装置。
【請求項１４３】
前記少なくとも４つのサポートメンバのうちの前記第一のセットの２つのサポートメンバは、２つの脚を備えている、請求項１３１に記載の楽器サポート装置。
【請求項１４４】
前記少なくとも４つのサポートメンバのうちの前記第二のセットの２つのサポートメンバは、２つのライザーを備えている、請求項１３１に記載の楽器サポート装置。
【請求項１４５】
前記少なくとも２つの旋回固定エレメントのうちの前記第一の旋回固定エレメントは、第一のセットの旋回リテーナーを備えている、請求項１３１に記載の楽器サポート装置。
【請求項１４６】
前記少なくとも２つの旋回固定エレメントの前記第二の旋回固定エレメントは、第二のセットの旋回リテーナーを含む、請求項１３１に記載の楽器サポート装置。
【請求項１４７】
前記少なくとも２つの旋回固定エレメントの前記第二の旋回固定エレメントは、前記ベースから鉛直に伸びている、請求項１３１に記載の楽器サポート装置。
【請求項１４８】
前記サポート装置から放射しているサポートメンバをさらに備えている、請求項１３１に記載の楽器サポート装置。
【請求項１４９】
ベースと、
該ベースにジョイントされ、該ベースに少なくとも４つのサポートメンバを旋回的に固定するように適合された少なくとも２つの旋回固定エレメントと、
を備え、
該少なくとも２つの旋回固定エレメントのうちの第一の旋回固定エレメントは、該少なくとも４つのサポートメンバのうちの第一のセットの２つのサポートメンバを該ベースに旋回的に固定し、２つの鉛直軸の回りに該第一のセットの２つのサポートメンバの旋回を可能にし、
該少なくとも２つの旋回固定エレメントのうちの第二の旋回固定エレメントは、第二のセットの２つのサポートメンバを該ベースの該第一の部分に旋回的に固定し、少なくとも１つの非鉛直軸の回りに該第二のセットの２つのサポートメンバの旋回を可能にする、サポート装置。
【請求項１５０】
前記少なくとも１つの非鉛直軸は、２つの平行な非鉛直軸を含む、請求項１４９に記載の楽器サポート装置。
【請求項１５１】
前記少なくとも１つの非鉛直軸は、少なくとも１つの水平軸を含む、請求項１４９に記載の楽器サポート装置。
【請求項１５２】
前記少なくとも１つの非鉛直軸は、少なくとも１つの微かに水平をはずれた軸を含む、請求項１４９に記載の楽器サポート装置。
【請求項１５３】
前記少なくとも２つの旋回固定エレメントのうちの第二の旋回エレメントは、前記ベースから上方向に伸びている、請求項１４９に記載の楽器サポート装置。
【請求項１５４】
前記少なくとも２つの旋回固定エレメントの前記第一の固定エレメントは、少なくとも１つの回転方向における回転の動きに対して前記第一のセットの２つのサポートメンバを保持する第一の止め具を備えている、請求項１４９に記載の楽器サポート装置。
【請求項１５５】
前記少なくとも２つの旋回固定エレメントのうちの前記第二の旋回固定エレメントは、少なくとも１つの回転方向における回転の動きに対して前記第二のセットの２つのサポートメンバを保持する第二の止め具を備えている、請求項１４９に記載の楽器サポート装置。
【請求項１５６】
前記第二の止め具は、調節可能な第二の止め具を備えている、請求項１５５に記載の楽器サポート装置。
【請求項１５７】
前記第二の止め具は、回転可能に調節可能な止め具を備えている、請求項１５６に記載の楽器サポート装置。
【請求項１５８】
前記少なくとも４つのサポートメンバのうちの前記第一のセットの２つのサポートメンバは、２つの脚を含む、請求項１４９に記載の楽器サポート装置。
【請求項１５９】
前記少なくとも４つのサポートメンバのうちの前記第二のセットの２つのサポートメンバは、２つのライザーを備えている、請求項１４９に記載の楽器サポート装置。
【請求項１６０】
前記少なくとも２つの旋回固定エレメントのうちの前記第一の旋回固定エレメントは、第一のセットの旋回リテーナーを備えている、請求項１４９に記載の楽器サポート装置。
【請求項１６１】
前記少なくとも２つの旋回固定エレメントの前記第二の固定エレメントは、第二のセットの旋回リテーナーを備えている、請求項１４９に記載の楽器サポート装置。
【発明の詳細な説明】
【技術分野】
【０００１】
一般に、本発明技術は、製品をサポートする方法および装置に関する。具体的には、本発明技術は、所望の空間位置に、予測される荷重に対し十分なサポートを有して、製品（キーボードなどの楽器を含むが、それに限定されない）をサポートし得る方法および装置に関する。特定の実施形態は、サポート装置の効率的な格納および／または便利な運搬のために格納構造に折りたたみ得る。一部の実施形態は、装置が最後の展開された構成にある場合に、「Ｖ」型を一般的に形成するライザーを用いて効率的ではあるが十分の強度を有する設計を達成し得る。
【背景技術】
【０００２】
製品をサポートするという願いは、多年の間幾つかの産業において公知であった。基本形態において、概念は、予測される荷重に対処し、サポートし得る迅速に展開可能かつ折りたたみ可能なスタンドを含み得る。楽器サポートスタンド産業においては、格納形態に折りたたみ可能であり、後に動作形態に展開可能であり、恐らく種々の異なるサイズの製品（例えば、種々の異なるサイズのキーボード）に適応可能な装置の開発に特別の注意が払われた。折りたたみ可能性の特徴は、勿論、恐らくは、各晩に異なる会場で、少なくとも一部はミュージシャンがステージを設置する必要から進化した。適応可能な一部のスタンドの所望の特徴であり得るので、音楽産業は、調節可能なサポート構造を有する幾つかのスタンドを開発した。
【０００３】
特にサポートされた製品が、スタンドによってサポートされながら、使用される場合に、スタンドの調節可能性は、所望の特徴（例えば、異なるユーザの高さに対応するために）であり得る。さらに、ハイピッチの衝撃的な部分を攻撃的に演奏することを計画するキーボード演奏者は、実質的にキーボードの中心でより攻撃的でない部分を演奏する同様のサイズの演奏者よりも広いサポートベースを望むこともあり得る。ミュージシャンおよび彼らが演奏する楽器に関するこれら、および他の側面は、異なるユーザ、スタイル、および、たとえ不必要であろうとも、スタンドの特徴が望まれる楽器に対応するために展開されるスタンドの特定の特徴を変更する力となる。
【発明の開示】
【課題を解決するための手段】
【０００４】
本発明の技術は、特定の用途に基づき異なる組み合わせにおいて選択され得、または対処される必要がある種々の局面を含む。１つの基本的な形態において、本発明技術は、特定の空間位置においてサポートされる楽器（例えば、キーボード）などの製品のための新しい、迅速に展開可能であるスタンドを開示する。本発明のうちの少なくとも１つの実施形態においては、２つのライザーおよび２つの脚が、分岐し得るベースに固定され得、それは、効率的であるが強い設計を生成する。
【０００５】
本発明技術の主要な用途は楽器サポートであるが（２つだけの例として、キーボード、またはスクラッチＤＪによって使用されるターンテーブルおよび関連するギア）、本発明の装置の実施形態のかなり多くの用途がある。例えば、装置の特定の実施形態は、テーブルトップまたはワークトップをサポートし得るかもしれない。
【０００６】
当然、本発明技術のさらなる目的は、本明細書および請求の範囲の他の部分を通して開示される。
【発明を実施するための最良の形態】
【０００７】
（本発明を実行するためのモード）
上述されるように、本発明は、異なる方法で組み合わせられ得る種々の局面を含む。以下の記載は、エレメントをリストし、本発明の実施形態の幾つかを記載するために提供される。エレメントは、最初の実施形態をもってリストされるが、追加の実施形態を創出するための任意の方式かつ任意の数で組み合わせられ得るものと理解されるべきである。種々に記載された実施例および好ましい実施形態は、本発明を明白に記載されたシステム、技術および用途にだけに限定すると解釈されるべきではない。さらに、記載は、任意の数の開示されたエレメントを有する場合、各エレメントだけの場合、およびまた、いずれかの後の用途におけるすべてのエレメントのいずれかの、またはすべての種々の置換および組み合わせを有する場合の、種々の実施形態、システム、技術、方法、デバイスおよび用途のすべての記載および特許請求の範囲をサポートし、含むと理解されるべきである。
【０００８】
本発明のうちの少なくとも１つの実施形態は、少なくとも２つの脚４、該脚が第一の固定エレメント６で伸びるベース５、第二の固定エレメント８によって該ベースに固定された少なくとも２つのライザー７、アームリテーナー１０によって各ライザーに固定された少なくとも１つのアーム９を備えている製品サポート装置１（例えば、キーボードサポート装置３などの楽器サポート装置２）であり得る。
【０００９】
脚という用語は、各々下にあるサポート表面１１（例えば、ステージフロア）に接触する少なくとも一部を有するベースまたは固定エレメント以外の構造をいう。脚は、まっすぐであり得、任意の方式で曲線であり得、下にあるサポート表面に接触しない１つ以上の部分を有し得る。脚または任意のサポートメンバは、その中のほんの一部が曲がっている場合にさえいつでも、曲がっているといわれる。展開される場合には（例えば、最後の展開された脚構造１２にある場合に）脚は「Ｖ」１３または「Ｕ」１４のおおよその外観を示し得る。脚をベースに固定する固定エレメントが該ベースから伸びる（例えば、水平に）場合には、該脚は、「Ｙ」１５の上部区分（まっすぐでも曲線でもよい）を形成し得る。好ましい実施形態において、最後の展開された脚構造にある場合には、各脚は、２つ以上の点で低部サポート表面に接触する。
【００１０】
好ましい一実施形態において、脚は、旋回的に展開可能である脚１６であり、旋回固定エレメント１７によってベースに固定される。旋回的に展開可能である脚は、設定中で装置の展開中に平面（例えば、水平面）で回転され得る。最後の展開された脚構造において、脚は、下にあるサポート表面上である程度までは、それらの「広がり」の程度を特徴付ける脚分離幅１８（例えば、該脚の各々の中間点の間の距離）を有する。
【００１１】
固定エレメントという用語は、１つの部分を別の部分に固定する任意のデバイス、メカニズム、構造または装置を含む広汎な用語である。２つの部分の間の接続が間接的である場合にも（例えば、部分Ａが中間部分Ｃによって部分Ｂに固定され得る）、１つの部分は、別の部分に固定され得る。接続は、幾つかの例として、溶接、ボールおよびソケットジョイント、ならびに１つ以上の平面だけで回転を可能とするデバイスを含む。エレメントという用語の広汎な定義を保つ用語において（一般に、記載されるように、１つ以上の部品、メカニズム、デバイス等に関する）、リテーナーエレメントは、単一のリテーナー１９だけではなく、１セット、または１グループのリテーナー２０をもいう。実際、本発明技術の実施形態は、各々２つのリテーナーを含む固定エレメントを含む。リテーナーエレメントは、各々が単一の軸の回りの回転を可能にする溶接、ボールおよびソケットジョイント、および／または旋回リテーナー２１であり得る。１つの固定エレメントのリテーナーは、別の固定エレメントのリテーナー（図１０を参照のこと）の間で設置され得る。
【００１２】
特定の実施形態において、リテーナーは、該リテーナーが部分の固定に加えて１つ以上の軸の回りに該固定された部分のあるタイプの回転的な動きを可能にする点で旋回リテーナー２２（またはリテーナーエレメントは、旋回リテーナーエレメント２３）である。具体的に脚が「Ｙ」の一部を形成する実施形態においては、ベースに該脚を固定するリテーナーエレメントは、該ベースから水平に伸張し得（図３０ｃおよび図３０ｄを参照のこと）、一般に装置が「Ｙ」型（その展開された構成において、前面または後面から見られた場合に）、ライザーを該ベースに固定するリテーナーエレメントは、上方に伸張し得る（図３０ａ、図３０ｄおよび図３０ｅを参照のこと）。
【００１３】
ベースは、装置の性能（展開、サポートなど）が妥協されないように、相対的な位置に個々のリテーナーの任意の２つ以上を保持するそのエレメントであり得る。好ましい実施形態において、脚およびライザーリテーナーは、お互いに相対的に固定された位置にベースによって保持される（勿論、そのように保持されたリテーナーは、いまだ意図されたように固定された部分の回転をなお可能にし得る）。しかしながら、少なくとも１つのリテーナーが別のリテーナーに対して相対的な形を移すことが可能である（制限内において）設計は、本発明の技術の範囲内である。好ましい実施形態において、装置が最終の展開された装置構成にある場合に、確かに脚が吊り下げられたベースへと上がる設計は、本発明の技術の範囲内にあるが、ベースは、下にある表面上に吊り下げられる代わりに該下にある表面に載っていることが注意されるべきである。好ましい実施形態において、装置が最終の展開された装置構成にある場合に、ベースは、実質的に下にある表面上に設置され得る。特定の実施形態は、全般的にコンパクトなベース（例えば、図３０ａ、図３０ｂ、図３０ｅ、図３１ｂおよび３１ｃに示されるように）、または単に幅がコンパクトなベース（例えば、図３０ｃおよび図３０ｄを参照のこと）、または単に奥行きコンパクトなベース（例えば、図３０ｆおよび図３０ａを参照のこと）を有し得る。
【００１４】
ライザーという用語は、アームによじ上ぼり（例えば、ベースから）、装置が最終の展開された装置構成にある場合に（例えば、図１を参照のこと）、その高い位置のすべて、または少なくともほとんどを該アームに提供する装置の部品の少なくとも一押を含む。勿論、ベースからの上昇は、完全に鉛直である必要はないが、鉛直成分だけは有する（すなわち、上方向きである）。アームは、まっすぐまたは曲線であり得、特定の実施形態において、装置の前方または後方からながめられるとき、最終の展開された装置構成にある場合に（例えば、「まっすぐに」ながめられる場合に）、「Ｖ」型または「Ｕ」型を形成する。ライザーは、ベースから上方に伸びるリテーナーエレメントによって固定され得、それによって、「Ｙ」型を装置に与える。しかしながら、好ましい実施形態において、ライザーをベースに固定するリテーナーエレメントは、それ程上方に伸びず、該ライザーは、「Ｕ」またはより好ましい「Ｖ」型を有する。
【００１５】
好ましい実施形態において、および最終の展開された装置構成において、ライザーは、ライザー間の水平距離２４は、ベースからの距離が増加するにつれて、増加するように、該ベースでお互いから外方向に角度を取るように定められ得る。少なくとも１つの実施形態において、Ｘ型は、交差するものとして（１つのライザーが別のライザーの直ぐ後で交差するが、２つが接触しない場合にさえ、成し遂げられ得ることに注意のこと）定義される場合に、ライザーは、２５交差しない。実質的に「Ｖ」型に見える装置は、非交差ライザーを有し得る。
【００１６】
本発明のうちの少なくとも一部の実施形態において、旋回的に展開可能なライザーは、例えば、装置の展開を可能にするように、２つの軸２６、２７の回りを回転可能であり得る。このような多軸回転は、特定のタイプの旋回固定エレメント（（好ましくは）連続的に２８または（ボールとソケットのジョイントのように）同時に２つの軸の回りの回転を可能にする）によって全く提供可能であり得る。もう一度、このような旋回固定エレメントは、ほんの２つの実施例として、ボールとソケットのリテーナー、または図１４に示される異なる軸の回りの回転を可能とするリテーナーを含み得る。しかしながら、他の実施形態において、そのような多軸回転は、ベースの第二の部分（例えば、図７を参照のこと）に対して相対的に回転可能である該ベースの第一の部分（そこに旋回固定エレメントが固定され得る）に設置される旋回固定エレメント（例えば、１つの軸の回りの回転を可能にする）によって提供可能であり得る。そのような他の実施形態において、そのようなベース設計は、ライザーの実質的な上昇を可能にするために、第一の軸２９（例えば、水平軸）の回りの回転を可能にし得、このような上昇が得られた後に、異なる軸３０（例えば、すぐ上に記載された水平軸に直角である軸）の回りの回転に対する障害は、干渉する位置にはもはやなく、該ライザーの「分かれ」３１（例えば、外方向に角度を取る）がここに可能であり得る。特定の実施形態において、旋回的に展開可能であるライザーは、該旋回的に展開可能である脚が回転可能であり得る軸とは異なる（例えば、それに直角である）少なくとも１つの軸の回りを回転可能である。
【００１７】
少なくとも１つの実施形態において、ライザーは、各々、低部プロジェクション３３（例えば、センターラインなどのラインの想像上のラインの延長またはその移転）に加えて、各々が、旋回固定エレメントによって旋回的にそこで固定される低部端末３２を有し得、プロジェクションの各々は、サポート装置が最終の展開された装置構成にある場合に、各々の低部端末（すなわち、特定のライザーの低部端末）の下にある。低部プロジェクションは、該物品サポート装置が最終の展開された装置構成にある場合に、低部端末の下にあるポイント３４で交差し得る。
【００１８】
本発明の技術のうちの少なくとも１つの実施形態において、最終の展開された装置構成にある場合に、ライザーは、脚分離幅における同時の変更を生じさせることなしに変更可能であり得る角度３５（相対的な角度）を形成し得ることもまた注意に値する。このように、上記２つのライザーは、独立に変更可能であり得る。
【００１９】
少なくとも１つの実施形態において、展開されたアームの所望の上昇は、ライザーの基準の角度の調節、および該ライザーの長さの調節、のいずれか、または両方によって達成され得ることが理解されるべきである。ライザーの長さの調節（アーム上昇調節能力となる）は、はめ込み可能３６であるライザーによって達成され得、該特徴自体は、恐らくノブ３８を用いて動作可能であるカラーロック３７によって達成され得る。伸びるライザー部分３９上に高さ設定番号もあり得る。ライザーの相対的な角度の停止は、ライザーのさらなる動き（例えば、回転）を拘束するように機能する止め具４０によって達成され得る。止め具は、ローブを有するカム形であり得（その場合恐らく、２つ以上のローブがあり、各々は、恐らく異なる動径プロダクションを有し、カムの回転について調節能力を提供し得る）、またはさらなる動きを防止するように遮断する角度プレート４１でもあり得る。角度プレートは、唯一の、またはほんのわずかの選択可能な停止位置を提供し得、装置の別の部分による停止がさらなる選択可能な停止位置４２を提供するように、着脱可能であり得る。角度プレートは、恐らく装置４４の異なる部分で格納のために拘束位置から着脱可能であり得る。止め具は、干渉位置（２つだけの実施例として）からそれを取外すか、またはスナップ（ｓｎａｐ）するかのいずれかによって停止位置から着脱可能であり得る。実際、好ましい拘束を提供する広く多様な方式（もう一度、恐らく異なる選択可能な停止位置において）は、止め具という用語によって考えられる。
【００２０】
少なくとも１つのアーム（その上にサポートされた物品が置かれ得る）は、アームリテーナーによってライザーの各々に固定され得る。アームリテーナーは、特に、溶接、ライザーに対して相対的にアームの動きを可能とするジョイント、および旋回アームリテーナー４５を含む広汎な用語である。旋回アームリテーナーは、アームをライザーに結合するだけではなく、ライザーに対して相対的にアームの回転を可能にもする。アームは、例えば、固定されるライザーが水平軸の回りに回転可能である場合、および／または固定されるライザーがはめ込み可能である場合に、高さ調節可能であり得る。アームは、軸４６、例えば、ライザーが回転可能であり得るその軸２６（例えば、水平軸）とは異なるライザーの上昇中の水平軸の回りに回転可能であり得る。アームが回転軸４８（例えば、回転水平軸）の回りに回転可能であり得るように、重ねての回転の動き４７の間に回転可能であり得る。２つ以上のアームが１つのライザーに固定可能である場合に、装置は２つのサポート段４９を有するといわれ得る。
【００２１】
「設置される（ｅｓｔａｂｌｉｓｈｅｄ）」という用語を使用する方法において、このような用語は、提示されたようにそれに関するエレメントを、置く（ｐｌａｃｉｎｇ）、配置する（ｐｏｓｉｔｉｏｎｉｎｇ）、または位置する（ｓｉｔｕａｔｉｎｇ）ことを意味することに留意すべきである。少なくとも１つの実施形態において、ライザーの相対的な角度は、脚分離幅における同時の変更を生じさせることなしに変更可能であり得ることは、本装置の発明の方法に関して特に注目に値する。ライザーに固定されたアームは、単一の使用者によって、ハンドグリップにおける変更の必要なしに、アーム格納構成５０（格納構成において各ライザーに対して折り畳まれたアーム）から最終の展開されたアーム構成５２まで展開され得るということもさらに注目に値する。
【００２２】
少なくとも１つの実施形態において、物品サポート装置（装置全体、または単に装置全体によって提供されたサポートにおいて役割を演じるその中の一部）は、ベース、該ベースから放射する少なくとも２つの分岐したサポートメンバ５３、該分岐したサポートメンバを該ベースに固定する２つの固定エレメント、および該分岐するサポートメンバのうちの少なくとも１つ（２つのアーム「ダブル「Ｙ」設計」における１つの分岐したサポートメンバ５３に応答するだろうことが注意されるべきである）に応答する少なくとも２つのアームを備え得る。サポートメンバは、物品が設計（例えば、予測される）荷の適用下で所望の位置（例えば、一定の位置）に実質的にとどまり続け得るように、サポートされた物品をサポートする役割を演じ得る装置の任意の実質的に縦長の部分（曲線またはまっすぐ）を含む広汎な用語である。サポートメンバは、ライザーに加えて、とりわけ、脚、アーム、または、特に、ベース（例えば、脚および／または「Ｙ」型の一部を形成するライザーを有する設計において）から放射し得る固定エレメントの部分５４を含み得る。サポートメンバは、実質的に長軸のメンバ５５（例えば、該長さは、該幅、深さ、または直径の２倍超である）であり得、円形、楕円形、正方形、長方形、八角形、六角形などを含むが、これらに限定されない任意の形を有し得る。サポートメンバは、チューブなどの空洞のメンバであり得、またはバーなどの中実であり得る。「ダブル「Ｙ」設計」において、各脚および各ライザーが「Ｙ」型（図３０ｄを参照のこと）上部を形成する場合に、２つのサポートメンバは、ベースから放射する。「単一の「Ｙ」設計」（脚またはライザーのいずれかは、図３０ａ、３０ｃまたは３０ｅにおけるように、「Ｙ」型の上部を形成する場合に）において、３つのサポートメンバは、ベースから放射する。ダブル「Ｖ」もしくはダブル「Ｕ」（脚は、「Ｖ」形または「Ｕ」形を示し、ライザーは、３０ｂ、３０ａ、３１ｂおよび３１ｃにおけるように、「Ｖ」形または「Ｕ」形を示す）において、またはＵＶ形（例えば、図３０ｆを参照のこと）において、４つのサポートメンバは、ベースから放射される。明瞭にするために、図３０および図３１は、一般的により複雑に見える装置であるものの単に概略的な表示にすぎない。したがって、好ましい実施形態において発場する旋回リテーナーは、図３０または図３１に表れない。
【００２３】
応答するという用語は、別の部分で応答を引き起こす１つの部分の動きがあることを示す一般的な用語である。例えば、サポートメンバに応答するアームは、アームにおける動きを引き起こすサポートメンバの特定の動きがあることを示す。勿論、「固定する」という用語の場合のように、アームは、部分が直接的な接触にある場合だけではなく、間接的な接触（例えば、部分Ａが中間部分Ｃを介して部分Ｂと間接的に接続される）にある場合の設計にも対応する。
【００２４】
本発明の技術はまた、第二の部分５７に対して相対的に回転可能である第一の部分５６を有するベース、および該ベースにジョイントされ、少なくとも４つのサポートメンバを該ベースに旋回的に固定するように適合される少なくとも２つの旋回固定エレメントを備えるサポート装置（少なくとも１つの実施形態において、図６に示される）もまた含む。第一の旋回固定エレメントは、第一のセットの２つのサポートメンバをベースに旋回的に固定し得、少なくとも１つの第一の軸の回りの第一のセットの２つのサポートメンバの旋回を可能にし、第二の旋回固定エレメント５８は、第二のセット５９の２つのサポートメンバの２つを上述のベースの第一の部分に旋回的に固定し得、それによって、少なくとも１つの第二の軸６０の回りの第二のセットの２つのサポートメンバの旋回を可能にする。
【００２５】
本発明の技術の実施形態の本明細書中の特定の記載は物品サポート装置および方法に明白に与えられ得るが、上記記載は、楽器サポート装置および方法（キーボードサポート装置および方法）などの他の、より具体的な物品サポート装置および方法にもまた適用されうると理解されるべきである。実際、特許請求の範囲における「楽器」という用語は、「物品」という用語と置換され場合には、本明細書中に提供された説明は、本明細書中の記載が、具体的には、物品サポート装置および方法、楽器サポート装置および方法、ならびにキーボードサポート装置および方法に関するときに、このような主題もまた説明するように理解されるべきである。楽器という用語は、キーボード、サキソフォン、マリンバ、ベル、鉄琴（または他のメロディ打楽器）などの伝統的な楽器およびドブロだけではなく、ＤＪ装置、レコードスクラッチング回転盤、スピーカ、サウンドボードまたは楽音を生成もしくは改変するために使用され得る任意の他の物品もまた含むと理解されるべきである。サポートされ得る楽器以外の物品は、テーブルトップ、ワークトップ、製図用テーブルなどを含む。
【００２６】
本発明の装置に組み込まれ得る他の特徴は、該装置が該格納構成で容易に運搬され得るように、スタンド（例えば、ライザーまたは脚）の特定の部分に取り付けされるハンドル６１を含む。実施形態は、幾つかを挙げれば、楽譜ホルダ６２またはマイクロフォンブーム取り付け６３などの付属品取り付けを含み得る。勿論、ハンドル付きの設計は、装置の少なくとも幾つかの部分が、折り畳まれた構成にロックし得る（例えば、少なくとも回転しそうな方向への回転を防止する）場合には（脚および／またはライザーが、一部の実施形態における別のサポートメンバの少なくとも一部の回りに設置されたリテーナー（例えば、カラーロックの一部であり得るカラーリテーナー６４などの可縮リテーナー）にロックされ得る場合のように、恐らく特定の部分がロックされる位置への移動を強制された後に）、最も良く機能する。ロックはまた、恐らくスプリング装填されたデテントを使用して、固定エレメントにおいて提供され得る。好ましい実施形態において、本発明の技術は、他のサポートメンバが該格納位置に達するときに異なるサポートメンバにロック可能である場合の設計を含むが、脚は、ライザーの回りに設置されたカラーリテーナーにロック可能である。カラーリテーナーは、予測される運搬力に対して、異なるサポートメンバまたはそれに添加されたロック部分を受け取り得、ロックし得る可縮リテーナー部分を含み得る。
【００２７】
一部の実施形態において、サポートメンバ（例えば、脚、ライザーおよびアーム）は、最終の展開された位置に達するまで完全にロックし得る（自動的の場合もあるし、そうではない場合もある）こともまた注意されるべきである。このようなロックは、確かに必ずしも必要ないが（ロックすることのない設計の内在的な特徴として許される荷重の下での恐らく回転しそうな方向だけにおける回転の妨害は、十分な固定であり得るので）、該固定は、所望され得、完全に固定された最終の展開された装置構成が望まれる一部の設計の、容易に付加される特徴であり得る。
【００２８】
本発明の装置の実施形態はまた、電子製品（例えば、２つだけの例としてキーボードまたはサウンドボード）が、効率的かつきれいに表れる態様で電力を供給され得るように、装置のサポートメンバに対して、またはそのうちでケーブリングすることを考慮したエレメントを組み込み得る。幾つかのこのようなエレメントは、ケーブルのサポートメンバ（例えば、ライザー）の外側への取り付けを可能にするケーブルクリップ６５、ケーブルのサポートメンバ（例えば、ライザー）の外側への隠された取り付けを可能にするチャネル、および／またはサポートメンバの少なくとも一部の内側にケーブルが設置されることを可能にする装置の特定の部分でのポートを含み得る。
【００２９】
完全に折り畳むことが可能な設計は、限定された格納スペースと関連する理由で好まれ得るが、バタフライ設計（完全に折り畳み可能な設計よりも迅速に設置され得るが、より格納スペースを占める）はまた、本発明の技術のうちに含まれる。
【００３０】
装置が造られ得る多くの材料の実施例は、プラスチック、ガラス繊維、木材、セラミック、黒鉛、炭素繊維材、ガラス、またはそれらの組み合わせ、または一般に必要なサポートを提供するのに十分に強い任意の材料を含む。装置を造る方式は、当業者には周知であり、ほんの数例として、押し出し成形、注入成形、他のタイプの成形、および／または機械加工を含む。
【００３１】
上述のことから容易に理解され得るように、本発明の基本的な概念は、多様な方法で具体化され得る。適切なサポートを達成するための物品（例えば、楽器）サポート技術およびデバイスの両方を含む。本出願において、物品サポート技術は、記載された多様なデバイスによって成し遂げられることが示された結果の部分および利用に固有のステップとして開示される。上記技術は、意図され、開示されたデバイスを利用することの単に自然な結果である。さらに、幾つかのデバイスが開示されるが、該デバイスだけが、特定の方法を達成するのではなく、多くの方法に変更され得ることも理解されるべきである。重要なことには、上述することのすべてに関して、該局面のすべてが本開示によって含まれると理解されるべきである。
【００３２】
本特許出願に含まれる開示は、基本的な説明として機能するように意図される。読者は、特定の議論が、すべての実施形態を明示的に説明していないことがあり得ることに気づくべきであり、多くの代替物が暗に含まれている。特定の議論はまた、本発明の包括的な性質を完全に説明していないことがあり得、各特徴または各エレメントが、現実にはどのようにより広範な機能または非常に多様な代替物もしくは等価的なエレメントを代表し得るかを明示的に示していることもあり得る。再び、上記代替物は、本開示に暗示的に含まれる。本発明は、デバイス本位の用語法で記載されるが、デバイスの各エレメントは、黙示的に機能を実行する。記述されたデバイスに対して、装置の請求項だけでなく、方法のまたはプロセスの請求項もまた、本発明と各エレメントが実行する機能に対応するために含まれる。説明も用語法も、本特許出願またはすべての後続の特許出願における特許請求の範囲を制限することを意図しない。
【００３３】
多様な変更が、本発明の本質から逸脱することなしになされ得ることが理解されるべきである。このような変更はまた、説明に黙示的に含まれる。該変更は、本発明の範囲にいまだ該当する。示された明示的な実施形態、非常に多様な黙示的な代替実施形態、および広範な方法またはプロセスなどを含む広範な開示は、本開示によって含まれ、本特許出願または任意の後続の特許出願における１つ以上の特許請求の範囲をサポートするために依拠され得る。この理解の下に、読者は、独立してと、全体のシステムとしてとの両方で本発明の多数の局面をカバーする特許を生成するように設計される出願人の権利内にあるとみなされるのと同じほど広範な特許請求の範囲のベースをサポートするように理解されるべきことを気づくべきである。
【００３４】
さらに、本発明と特許請求の範囲の多様なエレメントの各々はまた、多様な態様で達成され得る。さらに、使用され、暗示される場合に、エレメントは、物理的に接続されるかもしれないしされないかもしれない個々の構造および複数の構造を含むものとして理解されるべきである。本開示は、各エレメントが任意の装置の実施形態、方法の実施形態もしくはプロセスの実施形態の変形または単にそれらの任意のエレメントの変形である場合には、このような各エレメントを含むように理解されるべきである。特に、本開示が本発明のエレメントに関するときに、各エレメントに対する単語は、該機能または該結果だけが同じである場合でさえ、等価の装置の用語または方法の用語によって表現され得る。このような用語等価の、より広範なまたはより包括的な用語は、各エレメントまたは作用の説明に含まれることが考えられるべきである。このような用語は、本発明が根拠を与えられる黙示的に広範な範囲を明示することが望まれる場合には、置換され得る。１つだけの例として、すべての作用は、該作用をする手段として、または該作用を引き起こすエレメントとして表現され得ると理解されるべきである。同様に、開示された各物理的なエレメントは、当該物理的なエレメントを促進する作用の開示を含むように理解されるべきである。１つだけの例として、該最後の局面に関して、「リテーナー」の開示は、「固定する」作用（明示的に議論されようとされまいと）の開示を含むように理解されるべきであり、逆に、「固定する」作用の効率的な開示がある場合には、このような開示は、「固定する」と「固定するための手段」の開示を含むように理解されるべきである。このような変更と代替的な用語は、本説明に明示的に含まれるように理解されるべきである。
【００３５】
本特許出願中で言及される法律、法令、法規のすべてまたは本特許出願で言及される特許、公開もしくは他の参考文献は、本明細書中に参照として引用される。さらに、使用される各用語に関して、本出願における該用語の利用がこのような解釈と不一致でない限り、各用語とすべての定義、代替的な用語に対する一般の辞書の定義は組み込まれるものとして理解されるべきであり、Ｒａｎｄｏｍ  Ｈｏｕｓｅ  Ｗｅｂｓｔｅｒ’ｓ  Ｕｎａｂｒｉｄｇｅｄ  Ｄｉｃｔｉｏｎａｒｙ第二版は、本明細書中に参照として組み込まれる。結局、参考文献表にリストされたすべての参考文献または本出願に伴い提出された他の情報ステートメントまたは参考文献リストは、本明細書に添付され、参照として本明細書に引用されるが、上記の各々に関して、参照として引用されたこのような情報またはステートメントが本発明の特許化と一致しないと考え得る程度にまで、出願人によってというように、これらのステートメントが特異に考えられるべきではない。
【００３６】
【表１Ａ】
2008527406.tif 000003
【００３７】
【表１Ｂ】
2008527406.tif 000004
【００３８】
【表２Ａ】
2008527406.tif 000005
【００３９】
【表２Ｂ】
2008527406.tif 000006
したがって、本出願人は、請求項を支持し、少なくとも：ｉ）本明細書中に開示され、記載される各々の物品サポートデバイス、ｉｉ）開示され、記載された関連する方法、ｉｉｉ）該デバイスと方法の各々の同様な、均等のおよび黙示的な変形例、ｉｖ）開示され、記載されるように示される機能の各々を達成するそれらの代替的な設計、ｖ）開示され説明されるものを成し遂げるために黙示的であることが示された機能の各々を成し遂げる代替的な設計および方法、ｖｉ）個々のおよび独立の発明として示される各特徴、各成分および各ステップ、ｖｉｉ）開示される多様なシステムまたはコンポーネントによって改善された用途、ｖｉｉｉ）このようなシステムまたはコンポーネントによって生成された生成産物、ｉｘ）言及された任意の特定の分野またはデバイスにここで適用されるように示され、記載される各システム、各方法および各エレメント、ｘ）本明細書中に、全ての付随する実施例と関連して実質的に上述されたような方法と装置、ｘｉ）開示されたエレメントの各々の多様な組み合わせと置換、ｘｉｉ）示された独立の請求項または概念の各々およびすべてに従属するような各潜在的な従属の請求項または概念、ｘｉｉｉ）個々のおよび独立の発明として示される各特徴、各コンポーネントおよび各ステップ、ｘｉｖ）上記のものの各々のおよび各請求項の任意のエレメントの多様な組み合わせおよび置換に対する発明のステートメントをなすと理解されるべきである。この点に関して、実際的な理由のためおよび潜在的に数百のさらなる請求項を加えることを避けるために、本出願人は、最初の従属だけをもって請求項を与えた。１つの独立の請求項の下に示される全ての多様な従属項または他のエレメントの追加が、任意の他の独立した請求項の下での従属項またはエレメントとして許されるように、新規事項追加に関する規定（ヨーロッパ特許会議条項１２３（２）および米国特許法３５ＵＳＣ１３２または他のそのような法律を含むが、これらに限定されない）の下で必要とされる程度まで、サポートが存在すると理解されるべきである。
【００４０】
遅かれ早かれ検査のために示されるかどうか請求項に関して、実際的な理由のために、および検査の負担の大きな拡大を避けるために、出願人は、いつでも、最初の請求項だけ、または恐らく最初の従属性だけを伴う最初の請求項だけを与え得ると理解されるべきである。１つの独立の請求項の下に示される全ての多様な従属項または他のエレメントの追加が、任意の他の独立した請求項の下での従属項またはエレメントとして許されるように、新規事項追加に関する規定（ヨーロッパ特許会議条項１２３（２）および米国特許法３５ＵＳＣ１３２または他のそのような法律を含むが、これらに限定されない）の下で必要とされる程度まで、サポートが存在すると理解されるべきである。本出願書においてか、または任意の後続の出願書においてかの、いつでも任意の請求項を立案する点において、出願人は、法律的に可能である限度で完全かつ広範な権利範囲を保つことを意図した。実質のない置換がなされる程度までに、出願人が言葉の上だけで何らかの特定の実施形態を含めるように実は何らの請求項も立案しなかったという程度までに、およびその他の適用可能な程度にまで、出願人がどうにかして、出願人が意図した、または、単にすべての起こりうる事態を予測し得なかったような権利範囲を、現実には放棄したと理解されるべきではなく、当業者ならば、このような代替的な実施形態を言葉の上だけで含めたであろう請求項を立案したと合理的に期待されるべきではない。
【００４１】
さらに、使用される場合には、「包含する（ｃｏｍｐｒｉｓｉｎｇ）」という過渡的な句の使用は、伝統的な請求項解釈にしたがって、本明細書中に「オープンエンド型の」請求項を維持するために使用される。したがって、文脈が特に必要としなければ、「包含する（ｃｏｍｐｒｉｓｅ）」という用語または包含する（ｃｏｍｐｒｉｓｅｓ）」または「包含する（ｃｏｍｐｒｉｓｉｎｇ）」などの変形は、所定のエレメントもしくはステップまたはエレメントのグループもしくはステップのグループの包含を意味することを意図するが、任意の他のエレメントもしくはステップまたはエレメントのグループもしくはステップのグループの排除を意味することを意図しない。このような用語は、出願人に法律的に許容可能である最広義の適用範囲を提供するために該最広範囲の形態で解釈されるべきである。
【００４２】
ある場合には、優先出願と本明細書で後に示される請求項との両方は、本発明のこの説明の一部として本明細書中に参照により引用され、出願人は、任意のもしくはすべての請求項またはその中の任意のエレメントもしくはコンポーネントをサポートするさらなる説明のような請求項の組み込まれた内容のすべてまたは一部を使用する権利を明白に保持し、出願人は、保護が、本出願によって、またはその全ての後続の継続出願、分割出願、部分継続出願によって求められる事項を定義するために、またはあらゆる国の特許法、規則もしくは規制または条約に従うために、または、準ずる料金の減額全ての利益を得るために、必要なものとして、請求項またはその中の任意のエレメントもしくはコンポーネントの組み込まれた内容の任意の一部またはすべてを明細書から請求項にまたはその逆に移動する権利をさらに明白に保持し、参照により引用された内容は、本出願中の任意の後続の継続出願、分割出願またはそれらの中の部分継続出願またはそれらに関する任意の再提出または拡張を含む本出願の全係属中に有効である。最初に提示された請求項は、本発明の実施形態の記載の一部であるように、出願人によって明白に示される本明細書、句および主題のテキストセクションにおける申し立てとしても理解されるべきである。最初に示された請求項は、本特許出願に列挙され、修正され、または再挿入される任意の後の請求項をサポートするように出願人によって使用され得、任意の後続の継続特許出願、部分継続特許出願または分割特許出願に列挙される任意の請求項をサポートするために使用され得る。さらに、引き続いて修正され、取り消され、またはその他の方法で改変された場合でさえ、最初に本出願および優先出願で示された請求項は、本明細書中に本セクションの一部として参照により引用され、出願人は、任意の請求項またはエレメント、任意の修正およびそれらの中のコンポーネントをサポートするさらなる記載などの任意の内容のすべてまたは一部を使用する権利を明白に保持する。本セクションの内容（参照によりリストされ、かつ引用された）は、本出願中の任意の後続の継続出願、分割出願またはそれらの中の部分継続出願またはそれらに関する任意の再提出または拡張を含む本出願の全係属中に有効である。
【００４３】
最後に、本説明と請求項で使用される「少なくとも１つ」という用語は、該「少なくとも１つ」の言語を組み込まない他の請求項または説明は、さらに１つ以上の類似エレメントをさらに含み得ず、「少なくとも１つ」の言語は、内在的に特許請求されたものから離れるさらなるエレメントまたはステップを有するデバイスまたは方法を内在的に含む「オープンエンド」請求項をさらなるエレメントを有するデバイスまたは方法が、そのような請求項によってカバーされない「クローズドエンド」請求項の変更するように意図されないし、使用されない。さらに、使用される場合には、「包含する（ｃｏｍｐｒｉｓｉｎｇ）」という過渡的な句の使用（またはオーストラリアなどにおいて等価な、「含む（ｉｎｃｌｕｄｉｎｇ）」）は、伝統的な請求項の解釈にしたがって、「オープンエンド」請求項を本明細書中に維持するために使用される。したがって、文脈が特に必要としない場合には、「包含する（ｃｏｍｐｒｉｓｅ）」、「含む（ｉｎｃｌｕｄｅ）」（挿入される場合には）という用語または「包含する（ｃｏｍｐｒｉｓｅｓ）」もしくは「包含する（ｃｏｍｐｒｉｓｉｎｇ）」などの変形は、所定のエレメントもしくはステップまたはエレメントのグループもしくはステップのグループの排除を意味することを意図するが、任意の他のエレメントもしくはステップまたはエレメントのグループもしくはステップのグループの包含を意味することを意図しない。このような用語は、出願人に法律的に許容可能である最広範囲の適用範囲を提供するために該最広義の形態で解釈されるべきである。さらに、本出願は、：本明細書中に実質的に上述され、任意の付随する実施例を参照する方法、および本明細書中に実質的に上述され、任意の付随する実施例を参照する装置の請求項をサポートするように考慮されるべきである。
【図面の簡単な説明】
【００４４】
【図１】図１は、製品サポート装置の実施形態を示す。
【図２】図２は、製品サポート装置を展開する方法のステップを示す。
【図３】図３は、製品サポート装置を折りたたむ方法のステップを示す。
【図４】図４は、製品サポート装置の実施形態の分解組立図を示す。
【図５】図５は、格納構成における製品サポート装置の実施形態を示す。
【図６】図６は、ベースおよびリテーナーの実施形態を示す。
【図７】図７は、ベースおよびリテーナーの実施形態を示す。
【図８】図８は、ベースおよびリテーナーの実施形態を示す。
【図９】図９は、ベース、リテーナーおよびサポートメンバの実施形態を示す。
【図１０】図１０は、ベース、リテーナーおよびサポートメンバの実施形態を示す。
【図１１】図１１は、ベース、リテーナーおよびサポートメンバの実施形態を示す。
【図１２】図１２は、ベース、リテーナーおよびサポートメンバの実施形態を示す。
【図１３】図１３は、ベース、リテーナーおよびサポートメンバの実施形態を示す。
【図１４】図１４は、ベース、リテーナーおよびサポートメンバの実施形態の図を示す。
【図１５】図１５は、ベース、リテーナーおよびサポートメンバの実施形態を示す。
【図１６】図１６は、ベース、リテーナーおよびサポートメンバの実施形態を示す。
【図１７】図１７は、格納構造における製品サポート装置の実施形態を示す。
【図１８】図１８は、製品サポート装置の実施形態を展開することにおけるステップを示す。
【図１８】図１８は、製品サポート装置の実施形態を展開することにおけるステップを示す。
【図１９】図１９は、製品サポート装置の実施形態を展開することにおける順次のステップを示す。
【図２０】図２０は、製品サポート装置の実施形態を展開することにおける順次のステップを示す。
【図２１】図２１は、製品サポート装置の実施形態を展開することにおける順次のステップを示す。
【図２２】図２２は、製品サポート装置の実施形態を展開することにおける順次のステップを示す。
【図２３】図２３は、楽器サポート装置の二段の実施形態を示す。
【図２４】図２４は、製品サポート装置の実施形態のライザーの分解組立図を示す。
【図２５】図２５は、製品サポート装置の実施形態のライザーの分解組立図を示す。
【図２６】図２６は、製品サポート装置の実施形態のカラーロックの拡大図を示す。
【図２７】図２７は、製品サポート装置の実施形態のカラーロックのノブを示す。
【図２８】図２８は、製品サポート装置の実施形態のはめ込みリテーナーを示す。
【図２９】図２９は、製品サポート装置の実施形態のアームリテーナーを示す。
【図３０】図３０は、本発明装置の実施形態の概略図を示す。
【図３１】図３１は、本発明装置の実施形態の概略図を示す。
【図１】
2008527406.tif 000007
【図２】
2008527406.tif 000008
【図３】
2008527406.tif 000009
【図４】
2008527406.tif 000010
【図５】
2008527406.tif 000011
【図６】
2008527406.tif 000012
【図７】
2008527406.tif 000013
【図８】
2008527406.tif 000014
【図９】
2008527406.tif 000015
【図１０】
2008527406.tif 000016
【図１１】
2008527406.tif 000017
【図１２】
2008527406.tif 000018
【図１３】
2008527406.tif 000019
【図１４】
2008527406.tif 000020
【図１５】
2008527406.tif 000021
【図１６】
2008527406.tif 000022
【図１７】
2008527406.tif 000023
【図１８】
2008527406.tif 000024
【図１９】
2008527406.tif 000025
【図２０】
2008527406.tif 000026
【図２１】
2008527406.tif 000027
【図２２】
2008527406.tif 000028
【図２３】
2008527406.tif 000029
【図２４】
2008527406.tif 000030
【図２５】
2008527406.tif 000031
【図２６】
2008527406.tif 000032
【図２７】
2008527406.tif 000033
【図２８】
2008527406.tif 000034
【図２９】
2008527406.tif 000035
【図３０】
2008527406.tif 000036
【図３１】
2008527406.tif 000037
【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
少なくとも２つの脚と、
ベースであって、該脚が第一の固定エレメントで該ベースから伸びている、ベースと、
第二の固定エレメントによって該ベースに固定された少なくとも２つのライザーと、
アームリテーナーによって該ライザーの各々に固定された少なくとも１つのアームと
を含む、楽器サポート装置であって、
該楽器サポート装置の展開中に、該少なくとも２つのライザーは、第一の軸および該第一の軸とは異なる第二の軸の両軸のまわりを旋回する、楽器サポート装置。
【請求項２】
前記少なくとも２つの脚の各々は、まっすぐである、請求項１に記載の楽器サポート装置。
【請求項３】
前記少なくとも２つの脚の各々は、曲がっている、請求項２に記載の楽器サポート装置。
【請求項４】
前記少なくとも２つの脚の各々は、下にあるサポート面と接触しない少なくとも１つの部分を有する、請求項３に記載の楽器サポート装置。
【請求項５】
前記第二の固定エレメントは、前記ベースから上向きに伸びている、請求項１に記載の楽器サポート装置。
【請求項６】
前記第二の固定エレメントは、前記第一の固定エレメントのリテーナーの間に設置されている、請求項１に記載の楽器サポート装置。
【請求項７】
前記少なくとも２つのライザーは、曲がっている、請求項１に記載の楽器サポート装置。
【請求項８】
前記少なくとも２つのライザーは、まっすぐである、請求項１に記載の楽器サポート装置。
【請求項９】
前記楽器サポート装置が最終の展開された装置構成である場合に、前記少なくとも２つのライザーは、Ｖ型を形成する、請求項１に記載の楽器サポート装置。
【請求項１０】
前記楽器サポート装置が最終の展開された装置構成である場合に、前記少なくとも２つのライザーは、Ｕ型を形成する、請求項１に記載の楽器サポート装置。
【請求項１１】
前記第一の固定エレメントは、第一のリテーナーのセットを備えている、請求項１に記載の楽器サポート装置。
【請求項１２】
前記第二の固定エレメントは、第二のリテーナーのセットを備えている、請求項１に記載の楽器サポート装置。
【請求項１３】
前記第二の固定エレメントは、第二の旋回固定エレメントである、請求項１に記載の楽器サポート装置。
【請求項１４】
前記第二の旋回固定エレメントは、２つの軸の回りの前記ライザーの回転を可能とする、請求項１３に記載の楽器サポート装置。
【請求項１５】
前記第二の旋回固定エレメントは、１つの軸だけの回りの回転を可能とする、請求項１３に記載の楽器サポート装置。
【請求項１６】
前記１つの軸は、非鉛直軸である、請求項１５に記載の楽器サポート装置。
【請求項１７】
前記少なくとも２つのライザーは、前記ベースに旋回的に固定されている少なくとも２つの旋回可能なライザーを備えている、請求項１３に記載の楽器サポート装置。
【請求項１８】
前記第二の固定エレメントは、前記ベースの第二の部分に対して相対的に回転可能である該ベースの第一の部分に設置されている、請求項１に記載の楽器サポート装置。
【請求項１９】
前記固定エレメントのうちの少なくとも１つは、前記ベースの異なる部分に対して相対的に回転可能である該ベースの一部に設置されている、請求項１に記載の楽器サポート装置。
【請求項２０】
前記固定エレメントのうちの少なくとも１つは、２つの軸の回りの固定されたサポートメンバの回転を可能にする、請求項１に記載の楽器サポート装置。
【請求項２１】
前記ライザーの相対的な角度が、脚の分離幅において同時の変更に影響を与えることなしに変更可能である、請求項１に記載の楽器サポート装置。
【請求項２２】
前記装置の展開中に、前記少なくとも２つのライザーは、第一の水平軸の回りを旋回可能であり、前記少なくとも１つのアームは、各々該第一の水平軸とは異なる第二の水平軸の回りを旋回可能である、請求項１に記載の楽器サポート装置。
【請求項２３】
前記固定エレメントのうちの少なくとも１つは、前記ベースの異なる部分に対して相対的に回転可能である該ベースの一部に設置される、請求項１に記載の楽器サポート装置。
【請求項２４】
前記第二の固定エレメントは、前記ベースの異なる部分に対して相対的に回転可能である該ベースの一部に設置される、請求項１に記載の楽器サポート装置。
【請求項２５】
前記ライザーのうちの少なくとも１つは、はめ込むことが可能である、請求項１に記載の楽器サポート装置。
【請求項２６】
前記ライザーのうちの少なくとも１つは、該少なくとも１つのライザーに取り付けられたカラーロックを有する、請求項１に記載の楽器サポート装置。
【請求項２７】
前記楽器サポート装置は、キーボードサポート装置を備えている、請求項１に記載の楽器サポート装置。
【請求項２８】
前記楽器サポート装置によってサポートされた楽器をさらに備えている、請求項１に記載の楽器サポート装置。
【請求項２９】
少なくとも１つのケーブル取り付けエレメントをさらに備えている、請求項１に記載の楽器サポート装置。
【請求項３０】
サポートメンバの少なくとも一部の内側にケーブルの設置を可能とするポートをさらに備える、請求項１に記載の楽器サポート装置。
【請求項３１】
前記少なくとも１つのアームは、２つのアームを備え、前記装置は、２つのサポート段を備えている、請求項１に記載の楽器サポート装置。
【請求項３２】
付属品取り付けをさらに含む、請求項１に記載の楽器サポート装置。
【請求項３３】
前記付属品取り付けは、楽譜ホルダを備えている、請求項３２に記載の楽器サポート装置。
【請求項３４】
前記付属品取り付けは、マイクロフォンブーム取り付けを含む、請求項３２に記載の楽器サポート装置。
【請求項３５】
前記少なくとも２つの脚は、少なくとも２つの旋回的に展開可能な脚である、請求項１に記載の楽器サポート装置。
【請求項３６】
前記第一の固定エレメントは、第一の旋回固定エレメントである、請求項３５に記載の楽器サポート装置。
【請求項３７】
前記少なくとも１つのアームは、前記ライザーの各々に旋回的に固定されている、請求項１に記載の楽器サポート装置。
【請求項３８】
前記少なくとも２つのライザーは、交差していない、請求項１に記載の楽器サポート装置。
【請求項３９】
前記少なくとも２つの脚は、第一の平面で旋回可能であり、前記少なくとも２つのライザーは、該第一の平面とは異なる第二の平面で旋回可能である、請求項１に記載の楽器サポート装置。
【請求項４０】
前記少なくとも１つのアームは、少なくとも１つの高さ調節可能であるアームである、請求項１に記載の楽器サポート装置。
【請求項４１】
前記少なくとも２つのライザーは、最初に前記第一の軸の回りを旋回し、次いで、前記第二の軸の回りを旋回する、請求項１に記載の楽器サポート装置。
【請求項４２】
前記第一の軸は、水平であり、他方の軸が非水平である、請求項１に記載の楽器サポート装置。
【請求項４３】
前記第一の軸と前記第二の軸とは実質的に直角である、請求項４２に記載の楽器サポート装置。
【請求項４４】
楽器サポート装置の脚の相対的な角度の変更後に脚の分離幅を有するように該脚を設置するステップと、
該脚の分離幅における同時の変更に影響を与えることなしに、該楽器サポート装置のライザーの相対的な角度を変更するステップと、
を包含し、
アームは、該ライザーの各々に固定される、楽器サポートの方法。
【請求項４５】
前記ライザーをはめ込むことによって所望の高さを有するように前記アームを設置するステップをさらに含む、請求項４４に記載の楽器サポートの方法。
【請求項４６】
ライザーの相対的な角度を変更する前記ステップが、望まれる高さを有するように前記アームを設置するステップを含む、請求項４４に記載の楽器サポートの方法。
【請求項４７】
脚を設置する前記ステップは、Ｖ型を有するように前記脚を設置するステップを包含する、請求項４４に記載の楽器サポートの方法。
【請求項４８】
脚を設置する前記ステップは、Ｕ型を有するように前記脚を設置するステップを包含する、請求項４４に記載の楽器サポートの方法。
【請求項４９】
脚を設置する前記ステップは、Ｙ型を有するように前記脚を設置するステップを包含する、請求項４４に記載の楽器サポートの方法。
【請求項５０】
ライザーの相対的な角度を変更する前記ステップは、最終の展開されたライザーの構成の相対的角度に該ライザーを展開するステップを包含する、請求項４４に記載の楽器サポートの方法。
【請求項５１】
前記最終の展開されたライザーの構成の相対的角度を支配する止め具を調節するステップさらに包含する、請求項５０に記載の楽器サポートの方法。
【請求項５２】
ライザーの相対的な角度を変更する前記ステップは、まっすぐに見た場合に、装置にＶ型を有させるステップを包含する、請求項４４に記載の楽器サポートの方法。
【請求項５３】
ライザーの相対的な角度を変更する前記ステップは、まっすぐに見た場合に、装置にＵ型を有させるステップを包含する、請求項４４に記載の楽器サポートの方法。
【請求項５４】
ライザーの相対的な角度を変更する前記ステップは、まっすぐに見た場合に、装置にＹ型を有させるステップを包含する、請求項４４に記載の楽器サポートの方法。
【請求項５５】
ライザーの相対的な角度を変更する前記ステップは、第二の非鉛直軸の回りに前記ライザーを回転させるステップを包含する、請求項４４に記載の楽器サポートの方法。
【請求項５６】
第一の非鉛直軸の回りに格納構成から前記ライザーを回転させるステップをさらに包含する、請求項５５に記載の楽器サポートの方法。
【請求項５７】
第二の非鉛直軸の回りに前記ライザーを回転させる前記ステップは、第一の非鉛直軸の回りに格納構成から前記ライザーを回転させる前記ステップの完了した後に実行される、請求項５６に記載の楽器サポートの方法。
【請求項５８】
第一の非鉛直軸の回りに格納構成から前記ライザーを回転させる前記ステップおよび第二の非鉛直軸の回りに前記ライザーを回転させる前記ステップは、同じハンドグリップをもって実行され得る、請求項５６に記載の楽器サポートの方法。
【請求項５９】
前記第一の非鉛直軸は、前記第二の非鉛直軸と直角である、請求項５５に記載の楽器サポートの方法。
【請求項６０】
ライザーの相対的な角度を変更する前記ステップは、望まれるアーム分離幅を有するように前記アームを設置するステップを包含する、請求項４４に記載の楽器サポートの方法。
【請求項６１】
少なくとも１つのケーブル取り付けエレメントをさらに含む、請求項４４に記載の楽器サポートの方法。
【請求項６２】
サポートメンバの少なくとも一部の内側にケーブルの設置を可能にするポートをさらに含む、請求項４４に記載の楽器サポートの方法。
【請求項６３】
少なくとも２つの脚と、
該脚が第一の固定エレメントによって固定されるベースと、
第二の固定エレメントによって該ベースに固定される少なくとも２つのライザーと、
アームリテーナーによって該ライザーの各々に固定される少なくとも１つのアームと
を備え、
該ライザーの各々に固定された該少なくとも１つのアームは、１人のユーザによってハンドグリップにおける変更を必要とすることなしに、アーム格納構成から最終の展開されたアーム構成へと、展開可能であり、
該アームは、回転する水平軸の回りに回転可能である、楽器サポート装置。
【請求項６４】
前記ライザーおよび前記アームは、様々な軸の回りに回転可能である、請求項６３に記載の楽器サポート装置。
【請求項６５】
前記ライザーは、直角である軸の回りに回転可能である、請求項６３に記載の楽器サポート装置。
【請求項６６】
前記少なくとも１つのアームは、前記ハンドグリップを使用して単一の第一の動きで中間の展開されたアーム構成に展開可能であり、次いで、該ハンドグリップを使用して単一の第二の動きで最後の展開されたアーム構成位置に展開可能である、請求項６３に記載の楽器サポート装置。
【請求項６７】
前記アームが前記中間の展開されたアーム構成に達した場合に、前記ライザーは、該アームが該中間の展開されたアーム構成に達するポイントの前に、該ライザーが回転可能であったその軸とは異なる少なくとも１つの軸の回りを回転可能である、請求項６６に記載の楽器サポート装置。
【請求項６８】
前記第一の固定エレメントは、第一のリテーナーのセットを備えている、請求項６３に記載の楽器サポート装置。
【請求項６９】
前記第二の固定エレメントは、第二のリテーナーのセットを備えている、請求項６３に記載の楽器サポート装置。
【請求項７０】
前記第二の固定エレメントは、前記ベースから鉛直に伸びる、請求項６３に記載の楽器サポート装置。
【請求項７１】
前記第二の固定エレメントは、前記ベースの第二の部に対して相対的に回転可能である該ベースの第一の部分に設置される、請求項６３に記載の楽器サポート装置。
【請求項７２】
前記固定エレメントのうちの少なくとも１つは、前記ベースの異なる部分に対して相対的に回転可能である該ベースの一部に設置される、請求項６３に記載の楽器サポート装置。
【請求項７３】
前記第二の固定エレメントは、２つの軸の回りの前記ライザーの回転を可能にする旋回固定エレメントである、請求項６３に記載の楽器サポート装置。
【請求項７４】
前記固定エレメントのうちの少なくとも１つは、２つの軸の回りの固定されたサポートメンバの回転を可能にする、請求項６３に記載の楽器サポート装置。
【請求項７５】
前記少なくとも２つのライザーは、はめ込み可能である、請求項６３に記載の楽器サポート装置。
【請求項７６】
カラーロックであって、前記ライザーは、該カラーロックの位置ではめ込む、カラーロックをさらに含む、請求項７５に記載の楽器サポート装置。
【請求項７７】
前記少なくとも２つのライザーは、前記装置が最後の展開された装置構成にある場合に、Ｖ型を形成する、請求項６３に記載の楽器サポート装置。
【請求項７８】
前記少なくとも２つのライザーは、前記装置が最後の展開された装置構成にある場合に、Ｙ型を形成する、請求項６３に記載の楽器サポート装置。
【請求項７９】
前記少なくとも２つのライザーは、前記装置が最後の展開された装置構成にある場合に、Ｕ型を形成する、請求項６３に記載の楽器サポート装置。
【請求項８０】
前記楽器サポート装置によってサポートされた楽器をさらに備えている、請求項６３に記載の楽器サポート装置。
【請求項８１】
前記楽器サポート装置は、キーボードサポート装置を備えている、請求項６３に記載の楽器サポート装置。
【請求項８２】
少なくとも１つのケーブル取り付けエレメントをさらに含む、請求項６３に記載の楽器サポート装置。
【請求項８３】
サポートメンバのうちの少なくとも一部の内側にケーブルの設置を可能にするポートをさらに備えている、請求項６３に記載の楽器サポート装置。
【請求項８４】
少なくとも２つの脚と、
該脚が第一の固定エレメントによって固定されているベースと、
第二の固定エレメントによって該ベースに旋回的に固定されている少なくとも２つの旋回的に展開可能なライザーと、
アームリテーナーによって該ライザーの各々に固定されている少なくとも１つのアームと
を備えた楽器サポート装置であって、
該第二の固定エレメントは、旋回固定エレメントであり、
該楽器サポート装置の展開中に、
該少なくとも２つの旋回的に展開可能なライザーは、第一の水平軸の回りに旋回可能であり、
該少なくとも１つのアームは、各々該第一の水平軸とは異なる第二の水平軸の回りに旋回可能であり、
該固定エレメントのうちの少なくとも１つは、該ベースの異なる部分に対して相対的に回転可能である該ベースの一部に設置される、楽器サポート装置。
【請求項８５】
前記第一の固定エレメントは、第一のリテーナーのセットを備えている、請求項８４に記載の楽器サポート装置。
【請求項８６】
前記第二の固定エレメントは、第二のリテーナーのセットを備えている、請求項８４に記載の楽器サポート装置。
【請求項８７】
前記第二の固定エレメントは、前記ベースの第二の部分に対して相対的に回転可能である該ベースの第一の部分に設置されている、請求項８４に記載の楽器サポート装置。
【請求項８８】
第一の軸は、前記楽器サポート装置の展開中には回転しない、請求項８４に記載の楽器サポート装置。
【請求項８９】
第二の軸は、前記楽器サポート装置の展開中には回転する、請求項８４に記載の楽器サポート装置。
【請求項９０】
前記第二の固定エレメントは、前記第一の水平軸および非水平軸の回りの前記ライザーの回転を可能とする、請求項８４に記載の楽器サポート装置。
【請求項９１】
前記固定エレメントのうちの少なくとも１つは、２つの軸の回りの固定されたサポートメンバの回転を可能とする、請求項８４に記載の楽器サポート装置。
【請求項９２】
前記楽器サポート装置によってサポートされた楽器をさらに備えている、請求項８４に記載の楽器サポート装置。
【請求項９３】
前記楽器サポート装置は、キーボードサポート装置を備えている、請求項８４に記載の楽器サポート装置。
【請求項９４】
少なくとも１つのケーブル取り付けエレメントをさらに備えている、請求項８４に記載の楽器サポート装置。
【請求項９５】
サポートメンバの少なくとも一部の内側にケーブルの設置を可能とするポートをさらに備えている、請求項８４に記載の楽器サポート装置。
【請求項９６】
少なくとも２つの脚と、
該少なくとも２つの脚が第一の固定エレメントによって固定されているベースと、
少なくとも２つの旋回的に展開可能であるライザーであって、各ライザーは、低部末端および低部プロジェクションを有し、各ライザーは、第二の固定エレメントによって該低部末端で該ベースに旋回的に固定されている、ライザーと、
アームリテーナーによって該ライザーの各々に固定されている少なくとも１つのアームと
を備えた楽器サポート装置であって、
該第二の固定エレメントは、旋回固定エレメントであり、
該低部プロジェクションの各々は、該楽器サポート装置が最後の展開された装置構成にある場合には、それぞれの低部末端の下にあり、
該低部プロジェクションは、該楽器サポート装置が該展開された構成にある場合には、該低部末端の下のポイントで交差する、楽器サポート装置。
【請求項９７】
前記少なくとも２つの旋回的に展開されたライザーは、前記装置が最後の展開された装置構成にある場合には、Ｖ型を形成する、請求項９６に記載の楽器サポート装置。
【請求項９８】
前記少なくとも２つの旋回的に展開されたライザーは、前記装置が最後の展開された装置構成にある場合には、Ｕ型を形成する、請求項９６に記載の楽器サポート装置。
【請求項９９】
前記第二の固定エレメントは、前記ベースの第二の部分に対して相対的に回転可能である該ベースの第一の部分に設置されている、請求項９６に記載の楽器サポート装置。
【請求項１００】
前記固定エレメントのうちの少なくとも１つは、前記ベースの異なる部分に対して相対的に回転可能である該ベースの一部に設置されている、請求項９６に記載の楽器サポート装置。
【請求項１０１】
前記第二の固定エレメントは、２つの軸の回りの前記ライザーの回転を可能にする、請求項９６に記載の楽器サポート装置。
【請求項１０２】
前記固定エレメントのうちの少なくとも１つは、２つの軸の回りの固定されたサポートメンバの回転を可能とする、請求項９６に記載の楽器サポート装置。
【請求項１０３】
前記楽器サポート装置によってサポートされた楽器をさらに備えている、請求項９６に記載の楽器サポート装置。
【請求項１０４】
前記楽器サポート装置は、キーボードサポート装置を備えている、請求項９６に記載の楽器サポート装置。
【請求項１０５】
少なくとも１つのケーブル取り付けエレメントをさらに備えている、請求項９６に記載の楽器サポート装置。
【請求項１０６】
サポートメンバの少なくとも一部の内側にケーブルの設置を可能とするポートをさらに備えている、請求項９６に記載の楽器サポート装置。
【請求項１０７】
ベースと、
該ベースから放射する少なくとも２つの分岐したサポートメンバと、
該少なくとも２つの分岐したサポートメンバを該ベースに固定する２つの固定エレメントと、
該少なくとも２つの分岐したサポートメンバのうちの少なくとも１つに取り付けられており、該少なくとも１つのサポートメンバに対して相対的に回転可能な少なくとも２つのアームと
を備えている、楽器サポート装置。
【請求項１０８】
前記２つの分岐したサポートメンバの各々は、前記ベースから離れた２つの追加のサポートメンバに分かれている、請求項１０７に記載の楽器サポート装置。
【請求項１０９】
前記２つの分岐したサポートメンバの各々と該サポートメンバのそれぞれの前記２つの追加のサポートメンバとは、１つのＹ型を形成する、請求項１０８に記載の楽器サポート装置。
【請求項１１０】
前記少なくとも２つの分岐したサポートメンバは、少なくとも３つの分岐したサポートメンバを備えている、請求項１０７に記載の楽器サポート装置。
【請求項１１１】
前記少なくとも３つの分岐したサポートメンバのうちの１つは、２つの追加のサポートメンバに分かれている、請求項１１０に記載の楽器サポート装置。
【請求項１１２】
前記３つの分岐したサポートメンバのうちの前記１つと前記２つの追加のサポートメンバとは、１つのＹ型を形成する、請求項１１１に記載の楽器サポート装置。
【請求項１１３】
前記３つの分岐したサポートメンバのうちの前記１つと前記２つの追加のサポートメンバとは、ライザーである、請求項１１１に記載の楽器サポート装置。
【請求項１１４】
前記少なくとも３つの分岐したサポートメンバは、少なくとも４つの分岐したサポートメンバを備えている、請求項１１０に記載の楽器サポート装置。
【請求項１１５】
前記４つの分岐したサポートメンバのうちの２つは、脚であり、該少なくとも４つの分岐したサポートメンバのうちの残りの２つは、ライザーである、請求項１１４に記載の楽器サポート装置。
【請求項１１６】
前記ライザーは、前記装置が、最後の展開された装置構成にある場合には、Ｖ型を形成する、請求項１１５に記載の楽器サポート装置。
【請求項１１７】
前記ライザーは、前記装置が、最後の展開された装置構成にある場合には、Ｕ型を形成する、請求項１１５に記載の楽器サポート装置。
【請求項１１８】
前記少なくとも２つのアームは、前記ライザーに固定されている、請求項１１４に記載の楽器サポート装置。
【請求項１１９】
前記少なくとも２つのアームは、アームリテーナーを介して前記ライザーに固定されている、請求項１１８に記載の楽器サポート装置。
【請求項１２０】
前記少なくとも３つの分岐したサポートメンバは、少なくとも３つの放射状に分岐したサポートメンバを含む、請求項１１０に記載の楽器サポート装置。
【請求項１２１】
前記少なくとも３つの分岐したサポートメンバの少なくとも２つは、前記ベースの第二の部分に対して相対的に回転可能である該ベースの第一の部分に固定されている、請求項１１０に記載の楽器サポート装置。
【請求項１２２】
前記少なくとも４つの分岐したサポートメンバのうちの少なくとも２つは、各々２つの軸の回りに旋回可能である、請求項１１０に記載の楽器サポート装置。
【請求項１２３】
前記サポートメンバのうちの少なくとも１つは、２つの追加のサポートメンバに分かれている、請求項１１０に記載の楽器サポート装置。
【請求項１２４】
２つの追加のサポートメンバに分かれている前記サポートメンバのうちの少なくとも１つは、２つのライザーに分かれる、請求項１２３に記載の楽器サポート装置。
【請求項１２５】
前記楽器サポート装置によってサポートされた楽器をさらに備えている、請求項１０７に記載の楽器サポート装置。
【請求項１２６】
前記楽器サポート装置は、キーボードサポート装置を備えている、請求項１０７に記載の楽器サポート装置。
【請求項１２７】
少なくとも１つのケーブル取り付けエレメントをさらに備えている、請求項１０７に記載の楽器サポート装置。
【請求項１２８】
サポートメンバの少なくとも一部の内側にケーブルの設置を可能とするポートをさらに備えている、請求項１０７に記載の楽器サポート装置。
【請求項１２９】
サポート装置であって、該サポート装置は、
ベースであって、該ベースの第二の部分に対して相対的に回転可能である第一の部分を有するベースと、
該ベースにジョイントされていて、該ベースに少なくとも４つのサポートメンバを旋回的に固定するように適合された少なくとも２つの旋回固定エレメントと、
を備え、
該少なくとも２つの旋回固定エレメントのうちの第一の旋回固定エレメントは、該４つのサポートメンバのうちの第一のセットの２つのサポートメンバを該ベースに旋回的に固定し、少なくとも１つの第一の軸の回りにおける該第一のセットの２つのサポートメンバの旋回を可能にし、
該少なくとも２つの旋回固定エレメントのうちの第二の旋回固定エレメントは、該サポートメンバのうちの第二のセットの２つのサポートメンバを該ベースの該第一の部分に旋回的に固定し、少なくとも１つの第二の軸の回りにおける該第二のセットの２つのサポートメンバの旋回を可能にする、サポート装置。
【請求項１３０】
前記少なくとも１つの第一の軸は、少なくとも１つの鉛直軸を含む、請求項１２９に記載の楽器サポート装置。
【請求項１３１】
前記少なくとも１つの鉛直軸は、２つの鉛直軸を含む、請求項１３０に記載の楽器サポート装置。
【請求項１３２】
前記少なくとも１つの第二の軸は、１つの軸を含む、請求項１２９に記載の楽器サポート装置。
【請求項１３３】
前記少なくとも１つの第二の軸は、少なくとも１つの水平軸を含む、請求項１２９に記載の楽器サポート装置。
【請求項１３４】
前記少なくとも１つの水平軸は、１つの水平軸を含む、請求項１３３に記載の楽器サポート装置。
【請求項１３５】
前記少なくとも１つの第二の軸は、少なくとも１つの微かに水平をはずれた軸を含む、請求項１２９に記載の楽器サポート装置。
【請求項１３６】
前記少なくとも１つの微かに水平をはずれた軸は、１つの微かに水平をはずれた軸を含む、請求項１３５に記載の楽器サポート装置。
【請求項１３７】
前記少なくとも２つの旋回固定エレメントのうちの前記第一の旋回固定エレメントは、少なくとも１つの回転方向における回転の動きに対して前記第一のセットの２つのサポートメンバを保持する第一の止め具を備えている、請求項１２９に記載の楽器サポート装置。
【請求項１３８】
前記少なくとも２つの旋回固定エレメントのうちの前記第二の旋回固定エレメントは、少なくとも１つの回転方向における回転の動きに対して前記第二のセットの２つのサポートメンバを保持する第二の止め具を備えている、請求項１２９に記載の楽器サポート装置。
【請求項１３９】
前記第二の止め具は、調節可能な第二の止め具を備えている、請求項１３８に記載の楽器サポート装置。
【請求項１４０】
前記第二の止め具は、回転可能に調節可能な止め具を備えている、請求項１３９に記載の楽器サポート装置。
【請求項１４１】
前記少なくとも４つのサポートメンバのうちの前記第一のセットの２つのサポートメンバは、２つの脚を備えている、請求項１２９に記載の楽器サポート装置。
【請求項１４２】
前記少なくとも４つのサポートメンバのうちの前記第二のセットの２つのサポートメンバは、２つのライザーを備えている、請求項１２９に記載の楽器サポート装置。
【請求項１４３】
前記少なくとも２つの旋回固定エレメントのうちの前記第一の旋回固定エレメントは、第一のセットの旋回リテーナーを備えている、請求項１２９に記載の楽器サポート装置。
【請求項１４４】
前記少なくとも２つの旋回固定エレメントのうちの前記第二の旋回固定エレメントは、第二のセットの旋回リテーナーを備えている、請求項１２９に記載の楽器サポート装置。
【請求項１４５】
前記少なくとも２つの旋回固定エレメントのうちの前記第二の旋回固定エレメントは、前記ベースから鉛直に伸びている、請求項１２９に記載の楽器サポート装置。
【請求項１４６】
前記サポート装置から放射しているサポートメンバをさらに備えている、請求項１２９に記載の楽器サポート装置。
【請求項１４７】
ベースと、
該ベースにジョイントされ、該ベースに少なくとも４つのサポートメンバを旋回的に固定するように適合された少なくとも２つの旋回固定エレメントと、
を備え、
該少なくとも２つの旋回固定エレメントのうちの第一の旋回固定エレメントは、該少なくとも４つのサポートメンバのうちの第一のセットの２つのサポートメンバを該ベースに旋回的に固定し、２つの鉛直軸の回りにおける該第一のセットの２つのサポートメンバの旋回を可能にし、
該少なくとも２つの旋回固定エレメントのうちの第二の旋回固定エレメントは、第二のセットの２つのサポートメンバを該ベースの該第一の部分に旋回的に固定し、少なくとも１つの非鉛直軸の回りにおける該第二のセットの２つのサポートメンバの旋回を可能にする、サポート装置。
【請求項１４８】
前記少なくとも１つの非鉛直軸は、２つの平行な非鉛直軸を含む、請求項１４７に記載の楽器サポート装置。
【請求項１４９】
前記少なくとも１つの非鉛直軸は、少なくとも１つの水平軸を含む、請求項１４７に記載の楽器サポート装置。
【請求項１５０】
前記少なくとも１つの非鉛直軸は、少なくとも１つの微かに水平をはずれた軸を含む、請求項１４７に記載の楽器サポート装置。
【請求項１５１】
前記少なくとも２つの旋回固定エレメントのうちの第二の旋回固定エレメントは、前記ベースから上方向に伸びている、請求項１４７に記載の楽器サポート装置。
【請求項１５２】
前記少なくとも２つの旋回固定エレメントのうちの前記第一の旋回固定エレメントは、少なくとも１つの回転方向における回転の動きに対して前記第一のセットの２つのサポートメンバを保持する第一の止め具を備えている、請求項１４７に記載の楽器サポート装置。
【請求項１５３】
前記少なくとも２つの旋回固定エレメントのうちの前記第二の旋回固定エレメントは、少なくとも１つの回転方向における回転の動きに対して前記第二のセットの２つのサポートメンバを保持する第二の止め具を備えている、請求項１４７に記載の楽器サポート装置。
【請求項１５４】
前記第二の止め具は、調節可能な第二の止め具を備えている、請求項１５３に記載の楽器サポート装置。
【請求項１５５】
前記第二の止め具は、回転可能に調節可能な止め具を備えている、請求項１５４に記載の楽器サポート装置。
【請求項１５６】
前記少なくとも４つのサポートメンバのうちの前記第一のセットの２つのサポートメンバは、２つの脚を含む、請求項１４７に記載の楽器サポート装置。
【請求項１５７】
前記少なくとも４つのサポートメンバのうちの前記第二のセットの２つのサポートメンバは、２つのライザーを備えている、請求項１４７に記載の楽器サポート装置。
【請求項１５８】
前記少なくとも２つの旋回固定エレメントのうちの前記第一の旋回固定エレメントは、第一のセットの旋回リテーナーを備えている、請求項１４７に記載の楽器サポート装置。
【請求項１５９】
前記少なくとも２つの旋回固定エレメントのうちの前記第二の旋回固定エレメントは、第二のセットの旋回リテーナーを備えている、請求項１４７に記載の楽器サポート装置。
【手続補正書】
【提出日】平成19年12月26日(2007.12.26)
【手続補正１】
【補正対象書類名】特許請求の範囲
【補正対象項目名】全文
【補正方法】変更
【補正の内容】
【特許請求の範囲】
【請求項１】
少なくとも２つの脚と、
該脚が第一の固定エレメントによって固定されているベースと、
第二の固定エレメントによって該ベースに旋回的に固定されている少なくとも２つの旋回的に展開可能なライザーと、
アームリテーナーによって該ライザーの各々に固定されている少なくとも１つのアームと
を備えた楽器サポート装置であって、
該第二の固定エレメントは、旋回固定エレメントであり、
該楽器サポート装置の展開中に、
該少なくとも２つの旋回的に展開可能なライザーは、第一の水平軸の回りに旋回可能であり、
該少なくとも１つのアームは、各々該第一の水平軸とは異なる第二の水平軸の回りに旋回可能であり、
該固定エレメントのうちの少なくとも１つは、該ベースの異なる部分に対して相対的に回転可能である該ベースの一部に設置される、楽器サポート装置。
【請求項２】
前記第一の固定エレメントは、第一のリテーナーのセットを備えている、請求項１に記載の楽器サポート装置。
【請求項３】
前記第二の固定エレメントは、第二のリテーナーのセットを備えている、請求項１に記載の楽器サポート装置。
【請求項４】
前記第二の固定エレメントは、前記ベースの第二の部分に対して相対的に回転可能である該ベースの第一の部分に設置されている、請求項１に記載の楽器サポート装置。
【請求項５】
第一の軸は、前記楽器サポート装置の展開中には回転しない、請求項１に記載の楽器サポート装置。
【請求項６】
第二の軸は、前記楽器サポート装置の展開中には回転する、請求項１に記載の楽器サポート装置。
【請求項７】
前記第二の固定エレメントは、前記第一の水平軸および非水平軸の回りの前記ライザーの回転を可能とする、請求項１に記載の楽器サポート装置。
【請求項８】
前記固定エレメントのうちの少なくとも１つは、２つの軸の回りの固定されたサポートメンバの回転を可能とする、請求項１に記載の楽器サポート装置。
【請求項９】
前記楽器サポート装置によってサポートされた楽器をさらに備えている、請求項１に記載の楽器サポート装置。
【請求項１０】
前記楽器サポート装置は、キーボードサポート装置を備えている、請求項１に記載の楽器サポート装置。
【請求項１１】
少なくとも１つのケーブル取り付けエレメントをさらに備えている、請求項１に記載の楽器サポート装置。
【請求項１２】
サポートメンバの少なくとも一部の内側にケーブルの設置を可能とするポートをさらに備えている、請求項１に記載の楽器サポート装置。
【手続補正２】
【補正対象書類名】図面
【補正対象項目名】全図
【補正方法】変更
【補正の内容】
【図１】
2008527406.tif 000038
【図２】
2008527406.tif 000039
【図３】
2008527406.tif 000040
【図４】
2008527406.tif 000041
【図５】
2008527406.tif 000042
【図６】
2008527406.tif 000043
【図７】
2008527406.tif 000044
【図８】
2008527406.tif 000045
【図９】
2008527406.tif 000046
【図１０】
2008527406.tif 000047
【図１１】
2008527406.tif 000048
【図１２】
2008527406.tif 000049
【図１３】
2008527406.tif 000050
【図１４】
2008527406.tif 000051
【図１５】
2008527406.tif 000052
【図１６】
2008527406.tif 000053
【図１７】
2008527406.tif 000054
【図１８】
2008527406.tif 000055
【図１９】
2008527406.tif 000056
【図２０】
2008527406.tif 000057
【図２１】
2008527406.tif 000058
【図２２】
2008527406.tif 000059
【図２３】
2008527406.tif 000060
【図２４】
2008527406.tif 000061
【図２５】
2008527406.tif 000062
【図２６】
2008527406.tif 000063
【図２７】
2008527406.tif 000064
【図２８】
2008527406.tif 000065
【図２９】
2008527406.tif 000066
【図３０】
2008527406.tif 000067
【図３１】
2008527406.tif 000068
【国際調査報告】
2008527406.tif 000069
2008527406.tif 000070